(57)【要約】  携帯用椅子は、前方スレッドによって接続されている第１の前脚及び第２の前脚、並びに、後方スレッドによって接続されている第１の後脚及び第２の後脚を含むことができる。前方スレッドは、第１の前方足部及び第２の前方足部を含むことができ、後方スレッドは、第１の後方足部及び第２の後方足部を含むことができる。前方スレッド及び後方スレッドに取り付けられている足部の各々は、水がスレッド／足部接合部から排出されることを可能にするように構成されている保持機構孔を含むことができる。携帯用椅子は、複数の突出部を含む座部フレーム境界を含む座部をさらに含むことができる。座部フレーム境界は、射出成形工程を介して座部に剛直に取り付けることができる。加えて、携帯用椅子は、椅子の前脚のいずれかに分離可能に取り付けることができるカップ・ホルダ・アセンブリを有することができる。カップ・ホルダ・アセンブリは、携帯用椅子の脚に取り付けられる取り付け基部に取り付けることができるカップ・ホルダ部分を有することができる。
2021514691.tif 000002
【特許請求の範囲】
【請求項１】
底面、上側縁部、前記底面と前記上側縁部との間に位置決めされている実質的に円筒形の壁、及び前記実質的に円筒形の壁から延伸する取り付け部材を有するカップ・ホルダであって、前記円筒形の壁は、長手方向軸を規定し、前記取り付け部材は、一対の実質的に平行な側壁を含み、前記側壁の各々は、前記側壁の各々から互いに向かって延伸するレールを含む、カップ・ホルダと、
椅子の脚に接続された取り付け基部であって、前記カップ・ホルダを前記取り付け基部に固定するために、前記取り付け部材の前記レールは、前記取り付け基部上の一対のスロットに沿ってスライドする、取り付け基部と
を備えるカップ・ホルダ・アセンブリ。
【請求項２】
前記カップ・ホルダの内部は、複数の階層を備え、前記階層は各々、異なる高さを有する、請求項１に記載のカップ・ホルダ・アセンブリ。
【請求項３】
前記複数の階層は、３つの階層を含む、請求項２に記載のカップ・ホルダ・アセンブリ。
【請求項４】
前記カップ・ホルダは、前記上側縁部内の切り欠きを含む、請求項１に記載のカップ・ホルダ・アセンブリ。
【請求項５】
前記カップ・ホルダは、単一構成要素として形成されている、請求項１に記載のカップ・ホルダ・アセンブリ。
【請求項６】
各レールは、前記取り付け基部の各スロット内に位置するポケット内に延伸する戻り止めを含む、請求項１に記載のカップ・ホルダ・アセンブリ。
【請求項７】
前記ポケットは、前記一対のスロットの各々に沿って中心に位置する、請求項６に記載のカップ・ホルダ・アセンブリ。
【請求項８】
前記一対の側壁は、前記実質的に円筒形の壁の前記長手方向軸に対して角度を付けられている、請求項１に記載のカップ・ホルダ・アセンブリ。
【請求項９】
携帯用椅子であって、
前方スレッドによって接続された第１の前脚及び第２の前脚、
後方スレッドによって接続された第１の後脚及び第２の後脚、並びに
織物タイプ構造を含む座部
を備える携帯用椅子と、
カップ・ホルダ・アセンブリであって、
底面、上側縁部、及び前記底面と前記上側縁部との間に位置決めされている多階層形状に構成されている複数の円筒形状部分を有するカップ・ホルダであって、前記複数の円筒形状部分は、長手方向軸を中心として同心であり、取り付け部材が、前記円筒形状部分のうちの少なくとも１つから延伸するスペーサ部分及び一対の実質的に平行な側壁を含み、前記側壁の各々は、前記側壁の各々から互いに向かって延伸するレールを含む、カップ・ホルダ、並びに
前記携帯用椅子の前記第１の前脚に接続された取り付け基部であって、前記カップ・ホルダを前記取り付け基部に固定するために、前記取り付け部材の前記レールは、前記取り付け基部上の一対のスロットに沿ってスライドする、取り付け基部
を備えるカップ・ホルダ・アセンブリと
を備える携帯用椅子及びカップ・ホルダのシステム。
【請求項１０】
前記取り付け基部は一対の孔を含み、前記一対の孔の各々を通じて延伸する一対の機械的締結具を使用して前記携帯用椅子の前記第１の前脚に取り付けられている、請求項９に記載の携帯用椅子及びカップ・ホルダのシステム。
【請求項１１】
前記カップ・ホルダは、前記取り付け基部に解放可能に固定され、前記カップ・ホルダは、工具を使用することなく前記取り付け基部から取り外されることができる、請求項９に記載の携帯用椅子及びカップ・ホルダのシステム。
【請求項１２】
各レールは、前記取り付け基部の各スロット内に位置するポケット内に延伸する戻り止めを含む、請求項９に記載の携帯用椅子及びカップ・ホルダのシステム。
【請求項１３】
前記ポケットは、前記一対のスロットの各々に沿って中心に位置する、請求項１２に記載の携帯用椅子及びカップ・ホルダのシステム。
【請求項１４】
前記カップ・ホルダの内部は、複数の階層を備え、前記階層は各々、異なる高さを有する、請求項９に記載の携帯用椅子及びカップ・ホルダのシステム。
【請求項１５】
前記一対の実質的に平行な側壁は、前記カップ・ホルダの前記長手方向軸に対して角度を付けられている、請求項９に記載の携帯用椅子及びカップ・ホルダのシステム。
【請求項１６】
底面、上側縁部、及び前記底面と前記上側縁部との間に位置決めされている多階層形状に構成されている複数の円筒形状部分を有するカップ・ホルダであって、前記カップ・ホルダは、前記上側縁部内の切り欠きを含み、取り付け部材が、前記円筒形状部分のうちの少なくとも１つから延伸するスペーサ部分及び一対の実質的に平行な側壁を含み、前記側壁の各々は、前記側壁の各々から互いに向かって延伸するレールを含む、カップ・ホルダと、
椅子の脚に接続された取り付け基部であって、前記カップ・ホルダを前記取り付け基部に固定するために、前記取り付け部材の前記レールは、前記取り付け基部上の一対のスロットに沿ってスライドする、取り付け基部と
を備えるカップ・ホルダ・アセンブリ。
【請求項１７】
前記切り欠きは、前記上側縁部の周の１２パーセントから３８パーセントの範囲内の長さを有する、請求項１６に記載のカップ・ホルダ・アセンブリ。
【請求項１８】
前記切り欠きは、前記上側縁部の周の約２５パーセントの長さを有する、請求項１６に記載のカップ・ホルダ・アセンブリ。
【請求項１９】
前記切り欠きの中心は、前記取り付け部材の位置から約９０度に位置決めされている、請求項１６に記載のカップ・ホルダ・アセンブリ。
【請求項２０】
前記切り欠きは、前記カップ・ホルダの上側階層の２５パーセントから７５パーセント内の高さを有する、請求項１６に記載のカップ・ホルダ・アセンブリ。
【発明の詳細な説明】
【技術分野】
【０００１】
関連出願の相互参照
本出願は、２０１７年５月２３日付けで出願された米国特許出願第１５／６０２，８４１号の一部継続出願である、２０１７年９月７日付けで出願された米国特許出願第１５／６９８，４０３号の一部継続出願である、２０１８年２月２３日付けで出願された米国特許出願第１５／９０４，２７０号に対する優先権を主張する。上記で引用されている特許出願は、参照によりそれらの全体が組み込まれる。
【０００２】
本明細書に記載されている態様は、概して、携帯用椅子及び携帯用椅子とともに使用するためのカップ・ホルダ・アセンブリに関する。より具体的には、態様は、携帯用折り畳み椅子に関する。
【背景技術】
【０００３】
携帯用椅子は、行列待ち、キャンプ、及び屋外バーベキューなど、座れることが望ましいが、常に可能であるとは限らないイベント及び活動中に、一般的に使用されている。しかしながら、ほとんどの場合、そのような椅子は、着座体験が不快であり、耐久性が不満足であり、長期存続性が最小限であり、環境現象にさらされたときに加速する劣化の影響の受けやすい、安価で低級な材料によって作製される。したがって、低級携帯用椅子による全体的なユーザ満足度は低く、交換頻度が高い。
【０００４】
携帯用椅子の製造により高品質の材料が使用される他の事例においては、低級品と比較して延長した寿命が達成可能であり得る。しかしながら、大幅に高い価格において提供されるものの、そのような高級椅子が、快適性、天候によって誘発される劣化に対する耐性、及び全体的な耐久性において呈する改善はわずかなものである。
【発明の概要】
【発明が解決しようとする課題】
【０００５】
したがって、高品質、快適且つ耐久性のある携帯用椅子が必要とされている。
【課題を解決するための手段】
【０００６】
以下は、本明細書に記載されている様々な態様の簡略化された概要を提示する。この概要は、網羅的な概観ではなく、主要な若しくは重要な要素を識別するようには意図されておらず、又は、特許請求項の範囲を画定するようにも意図されていない。以下の概要は、後に提示されるより詳細な説明を紹介する前置きとしていくつかの概念を簡略化された形態で提示しているに過ぎない。
【０００７】
上述した従来技術の制限を克服し、本明細書を読み、理解すると明らかになる他の制限を克服するために、本明細書に記載されている態様は、携帯用椅子及び携帯用椅子を形成する方法を対象とする。
【０００８】
１つ又は複数の実施例によれば、携帯用椅子は、前方スレッドによって接続されている第１の前脚及び第２の前脚、並びに、後方スレッドによって接続されている第１の後脚及び第２の後脚を含むことができる。前方スレッドは、第１の前方足部及び第２の前方足部を含むことができ、後方スレッドは、第１の後方足部及び第２の後方足部を含むことができる。前方スレッド及び後方スレッドに取り付けられている足部の各々は、水がスレッド／足部接合部から排出されることを可能にするように構成されている保持機構孔を含むことができる。携帯用椅子は、座部フレーム境界を含むことができる高透過性織物タイプ構造から成る座部をさらに含むことができる。座部フレーム境界は、底面部分に複数の突出部を含む剛性熱可塑性オーバーモールドであってもよい。座部フレーム境界は、複数の突出部を形成することができる射出成形工程を介して座部に剛直に取り付けることができる。携帯用椅子はまた、第１の終端部、第２の終端部、第１の座部取り付けレール、及び第２の座部取り付けレールを含む座部フレームも含むことができる。座部フレーム境界の底面部分上の複数の突出部は、第１の座部取り付けレール及び第２の座部取り付けレールと取り外し可能に係合するように構成することができる。加えて、座部フレームは、運搬ハンドルを含むことができる。
【０００９】
いくつかの実施例において、座部の座部フレーム境界が第１の座部取り付けレール及び第２の座部取り付けレールと取り外し可能に係合されている状態において、座部は、前端部分において下向きに傾斜するように構成することができる。
【００１０】
いくつかの実施例において、携帯用椅子は、第１の前脚をそこに挿入し、構造用接着剤を介して固定することができる管状突出部を含む第１の前脚造作接合部をさらに含むことができる。携帯用椅子はまた、第１の後脚をそこに挿入し、構造用接着剤を介して固定することができる管状突出部を含む第１の後脚造作接合部も含むことができる。
【００１１】
いくつかの実施例において、携帯用椅子は、第１の前方ピンを介して第１の前脚造作接合部及び第１の後脚造作接合部に回転可能に固定されるように構成することができる第１のアーム・レストをさらに含むことができる。
【００１２】
いくつかの実施例において、携帯用椅子は、第２の前脚をそこに挿入し、構造用接着剤を介して固定することができる管状突出部を含む第２の前脚造作接合部をさらに含むことができる。携帯用椅子はまた、第２の後脚をそこに挿入し、構造用接着剤を介して固定することができる管状突出部を含む第２の後脚造作接合部も含むことができる。
【００１３】
いくつかの実施例において、携帯用椅子は、第２の前方ピンを介して第２の前脚造作接合部及び第２の後脚造作接合部に回転可能に固定されるように構成することができる第２のアーム・レストをさらに含むことができる。
【００１４】
いくつかの実施例において、携帯用椅子は、背もたれフレーム境界を含むことができる高透過性織物タイプ構造から成る背もたれをさらに含むことができる。背もたれフレーム境界は、裏面部分に複数の突出部を含む剛性熱可塑性オーバーモールドであってもよい。背もたれフレーム境界は、複数の突出部を形成することができる射出成形工程を解して背もたれに剛直に取り付けることができる。携帯用椅子はまた、第１の終端部、第２の終端部、第１の背もたれ取り付けレール、及び第２の背もたれ取り付けレールを含む背もたれフレームも含むことができる。背もたれフレーム境界の裏面部分上の複数の突出部は、第１の背もたれ取り付けレール及び第２の背もたれ取り付けレールと取り外し可能に係合するように構成することができる。
【００１５】
いくつかの実施例において、携帯用椅子は、第１の背もたれ造作接合部をさらに含むことができる。第１の背もたれ造作接合部は、背もたれフレームの第１の終端部をそこに挿入し、構造用接着剤を介して固定することができる管状突出部を含むことができる。携帯用椅子はまた、第２の背もたれ造作接合部も含むことができる。第２の背もたれ造作接合部は、背もたれフレームの第２の終端部をそこに挿入し、構造用接着剤を介して固定することができる管状突出部を含むことができる。
【００１６】
いくつかの実施例において、携帯用椅子は、第１の座部造作接合部をさらに含むことができる。第１の座部造作接合部は、座部フレームの第１の終端部をそこに挿入し、構造用接着剤を介して固定することができる管状突出部を含むことができる。携帯用椅子はまた、第２の座部造作接合部も含むことができる。第２の座部造作接合部は、座部フレームの第２の終端部をそこに挿入し、構造用接着剤を介して固定することができる管状突出部を含むことができる。
【００１７】
いくつかの実施例において、第１の前脚、第２の前脚、前方スレッド、第１の後脚、第２の後脚、後方スレッド、座部フレーム、及び背もたれフレームの各々は、ハイドロフォーム・アルミニウムから構成することができる。
【００１８】
本開示の追加の態様は、内部底面、縁部、底面と縁部との間に位置決めされている実質的に円筒形の壁、及び、実質的に円筒形の壁から延伸する係合部材を有するカップ・ホルダを備えるカップ・ホルダ・アセンブリに関係し得る。カップ・ホルダ・アセンブリはまた、カップ・ホルダの係合部材に解放可能に固定される第１の側、及び、実質的にＣ字状の部材を有するクランプ部材に固定されている第２の側を有するカラーも有することができ、カラーは、クランプ部材に対して回転することができる。カラーは、カップ・ホルダをカラーに解放可能に固定するために、カップ・ホルダの係合部材上の対応する複数のフレックス・フィンガに係合する複数のフレックス・フィンガを有することができる。カラー上の複数のフレックス・フィンガは、カラーの上部に位置決めされている上側フレックス・フィンガ、及び、カラーの下部に位置決めされている下側フレックス・フィンガを含むことができ、上側フレックス・フィンガと下側フレックス・フィンガとは互いから離間されている。カラーは、上側フレックス・フィンガと下側フレックス・フィンガとの間に位置決めされている位置整合部材をさらに備えることができ、位置整合部材は、カップ・ホルダのカラーに対する回転を妨げるために、カップ・ホルダの係合部材上の複数のフレックス・フィンガのうちの少なくとも１つの一部分に接触する、半径方向に延伸するフランジを有する。加えて、下側フレックス・フィンガは、カップ・ホルダがカラー上に不適切に設置されるのを防止するために、上側フレックス・フィンガよりも大きくすることができる。最後に、カラーは、２つの位置においてクランプ部材に対して回転することができる。
【００１９】
本開示のまたさらに他の態様は、携帯用椅子及びカップ・ホルダのシステムであって、前方スレッドによって接続されている第１の前脚及び第２の前脚、後方スレッドによって接続されている第１の後脚及び第２の後脚、織物タイプ構造を備える座部を備える携帯用椅子と、内部底面、縁部、及び、内部底面と縁部との間に位置決めされている実質的に円筒形の壁、並びに、カップ・ホルダの実質的に円筒形の壁から延伸する係合部材を有するカップ・ホルダを含むカップ・ホルダ・アセンブリとを備える、携帯用椅子及びカップ・ホルダのシステムに関係し得る。係合部材は、実質的にＣ字状の部材を有するクランプ部材に固定することができるカラーに解放可能に接続することができ、Ｃ字状部材は、第１の前脚又は第２の前脚のいずれかに解放可能に接続することができる。カップ・ホルダは、依然として携帯用椅子に接続されたままで、外側位置から内側位置へと回転することができる。Ｃ字状部材は、上面の一部分及び下面の一部分が、丸みを帯びたエッジを有するようにすることができ、結果、丸みを帯びたエッジは、携帯用椅子の第１の前脚又は第２の前脚のいずれかから内向きに延伸するブッシングに接触する。カップ・ホルダはさらに、クランプ部材に対して回転することができる。カップ・ホルダ上の係合部材は、カラー上の複数のフレックス・フィンガに係合する複数のフレックス・フィンガを含むことができ、カラーは、クランプ部材のＣ字状部材から延伸する係合部材にスライド可能に接続することができる。カラー及びクランプ部材の係合部材は各々、回転抑制機構を有することができる。
【００２０】
本開示の他の態様は、カップ・ホルダ・アセンブリであって、底面、縁部、底面と縁部との間に位置決めされている実質的に円筒形の壁、及び、実質的に円筒形の壁から延伸する係合部材を有するカップ・ホルダと、係合部材に解放可能に固定される第１の側、及び、実質的にＣ字状の部材を備えるクランプ部材に固定されている第２の側を有するカラーとを備え、カラーはクランプ部材とスライド可能に係合される、カップ・ホルダ・アセンブリに関係し得る。カップ・ホルダ・アセンブリは、１００ニュートン（Ｎ）を越える力が垂直方向においてカップ・ホルダに加わった場合、カップ・ホルダがカラーから解放されるように構成することができる。
【００２１】
加えて、カラーは、カラーがクランプ部材に対して不注意で回転するのを防止するために、クランプ部材上の複数の回転抑制機構に係合する複数の回転抑制機構をさらに備えることができる。カラーをクランプ部材から外方にスライド可能に動かすことによって、カラーとクランプ部材の両方の複数の回転抑制機構が係合解除されるとき、カラーはクランプ部材に対して回転することができる。カラー上の複数の回転抑制機構は、回転可能に離間されている複数のボスを含むことができ、複数のボスのうちの１つは、残りのボスの第２の長さよりも大きい第１の長さを有する。最後に、クランプ部材上の複数の回転抑制機構は、複数のポケットを含むことができる。
【００２２】
本開示のさらに他の態様は、内部底面、上側縁部、底面と上側縁部との間に位置決めされている実質的に円筒形の壁、及び、実質的に円筒形の壁から延伸する取り付け部材を有するカップ・ホルダを備えるカップ・ホルダ・アセンブリに関係し得る。円筒壁は、長手方向軸を規定することができる。取り付け部材は、一対の実質的に平行な側壁を含むことができ、実質的に平行な側壁の対の各々は、側壁の各々から互いに向かって延伸するレールを含む。カップ・ホルダ・アセンブリはまた、椅子の脚に接続される取り付け基部も含むことができ、カップ・ホルダを取り付け基部に固定するために、取り付け部材のレールが、取り付け基部上の一対のスロットに沿ってスライドする。加えて、カップ・ホルダの内部は、複数の階層を備えることができ、階層の各々は、異なる高さを有する。複数の階層は、３つの階層を含んでもよい。また、カップ・ホルダは、上側縁部内にあり、単一構成要素として形成されるノッチを有することができる。各レールは、取り付け基部の各スロット内に位置するポケット内に延伸する戻り止めを含むことができ、ポケットは、スロットの対の各々に沿って中心に位置することができる。実質的に平行な側壁の対は、実質的に円筒形の壁の長手方向軸に対して角度を付けることができる。
【００２３】
本開示の追加の態様は、携帯用椅子及びカップ・ホルダのシステムであって、前方スレッドによって接続されている第１の前脚及び第２の前脚、後方スレッドによって接続されている第１の後脚及び第２の後脚、織物タイプ構造を備える座部を有する携帯用椅子と、カップ・ホルダ・アセンブリとを備える、携帯用椅子及びカップ・ホルダのシステムに関係し得る。カップ・ホルダ・アセンブリは、底面、上側縁部、及び、底面と上側縁部との間に位置決めされている多階層形状に構成されている複数の円筒形状部分を有するカップ・ホルダを含むことができ、複数の円筒形状部分は、長手方向軸を中心として同心である。カップ・ホルダはまた、円筒形状部分のうちの少なくとも１つから延伸するスペーサ部分と、一対の実質的に平行な側壁とを含む取り付け部材も含むことができ、側壁の各々は、側壁の各々から互いに向かって延伸するレールを含む。カップ・ホルダ・アセンブリはまた、携帯用椅子の第１の前脚に接続される取り付け基部をさらに備えることができ、カップ・ホルダを取り付け基部に固定するために、取り付け部材のレールが、取り付け基部上の一対のスロットに沿ってスライドする。取り付け基部は、少なくとも１つの取り付け孔を含むことができ、少なくとも１つの取り付け孔を通じて延伸する少なくとも１つの機械的締結具を使用して携帯用椅子の第１の前脚に取り付けられる。カップ・ホルダは、取り付け基部に解放可能に固定することができ、カップ・ホルダは、工具を使用することなく取り付け基部から取り外すことができる。各レールは、取り付け基部の各スロット内に位置するポケット内に延伸する戻り止めを含むことができ、ポケットは、スロットの対の各々に沿って中心に位置することができる。カップ・ホルダの内部は、複数の階層を含むことができ、階層は各々、異なる高さを有する。
【００２４】
本開示の他の態様は、カップ・ホルダ・アセンブリであって、底面、上側縁部、及び、底面と上側縁部との間に位置決めされている多階層形状に構成されている複数の円筒形状部分を有するカップ・ホルダを備え、カップ・ホルダは、上側縁部内のノッチと、円筒形状部分のうちの少なくとも１つから延伸するスペーサ部分及び一対の実質的に平行な側壁を含むことができる取り付け部材とを備える、カップ・ホルダ・アセンブリに関係し得る。側壁の各々は、側壁の各々から互いに向かって延伸するレールを含むことができる。カップ・ホルダ・アセンブリは、椅子の脚に接続される取り付け基部をさらに備えることができ、カップ・ホルダを取り付け基部に固定するために、取り付け部材のレールが、取り付け基部上の一対のスロットに沿ってスライドする。ノッチは、上側縁部の周の１２パーセント及び３８パーセントの範囲内の長さを有することができ、又は、上側縁部の周の約２５パーセントの長さを有することができる。ノッチの中心は、取り付け部材の位置から約９０度に位置決めすることができる。最後に、ノッチは、カップ・ホルダの上側階層の２５パーセント〜７５パーセント内の高さを有することができる。
【００２５】
これらの特徴は、多くの他の特徴とともに、下記により詳細に論じられる。
【００２６】
本明細書に記載されている態様及びその利点のより完全な理解は、添付の図面を考慮して以下の説明を参照することによって得ることができ、図面において、同様の参照符号は同様の機構を示す。
【図面の簡単な説明】
【００２７】
【図１】本明細書に記載されている１つ又は複数の態様による携帯用椅子の実例の正面斜視図である。
【図２Ａ】本明細書に記載されている１つ又は複数の態様による図１の例示的な携帯用椅子の例示的な区画の正面斜視図である。
【図２Ｂ】本明細書に記載されている１つ又は複数の態様による図１の例示的な携帯用椅子の例示的な区画の正面斜視図である。
【図２Ｃ】本明細書に記載されている１つ又は複数の態様による図１の例示的な携帯用椅子の例示的な区画の正面斜視図である。
【図３】本明細書に記載されている１つ又は複数の態様による図１の例示的な携帯用椅子の側面斜視図である。
【図４Ａ】本明細書に記載されている１つ又は複数の態様による図１の例示的な携帯用椅子の第１の例示的な座部の底面斜視図である。
【図４Ｂ】本明細書に記載されている１つ又は複数の態様による図１の例示的な携帯用椅子の第１の例示的な座部フレームの上面斜視図である。
【図４Ｃ】本明細書に記載されている１つ又は複数の態様による図１の例示的な携帯用椅子の第１の例示的な座部フレームと係合されている第１の例示的な座部の断面図である。
【図４Ｄ】本明細書に記載されている１つ又は複数の態様による図１の例示的な携帯用椅子の第１の例示的な座部及び第１の例示的な座部フレームの構成要素の分解図である。
【図５Ａ】本明細書に記載されている１つ又は複数の態様による図１の例示的な携帯用椅子の第２の例示的な座部フレームの正面斜視図である。
【図５Ｂ】本明細書に記載されている１つ又は複数の態様による図１の例示的な携帯用椅子の第２の例示的な座部の正面斜視図である。
【図５Ｃ】本明細書に記載されている１つ又は複数の態様による図１の例示的な携帯用椅子の第１の例示的な座部の底面斜視図である。
【図５Ｄ】本明細書に記載されている１つ又は複数の態様による図１の例示的な携帯用椅子の第２の例示的な座部フレームと係合されている第２の例示的な座部の断面図である。
【図５Ｅ】本明細書に記載されている１つ又は複数の態様による図１の例示的な携帯用椅子の第２の例示的な座部フレームと係合されている第２の例示的な座部の正面斜視図である。
【図６Ａ】本明細書に記載されている１つ又は複数の態様による図１の例示的な携帯用椅子の例示的な背もたれの背面図である。
【図６Ｂ】本明細書に記載されている１つ又は複数の態様による図１の例示的な携帯用椅子の例示的な背もたれフレームの正面図である。
【図６Ｃ】本明細書に記載されている１つ又は複数の態様による図１の例示的な携帯用椅子の例示的な背もたれフレームと係合されている例示的な背もたれの断面図である。
【図７Ａ】本明細書に記載されている１つ又は複数の態様による、折り畳み構成にある図１の例示的な携帯用椅子の正面斜視図である。
【図７Ｂ】本明細書に記載されている１つ又は複数の態様による、折り畳み構成にある図１の例示的な携帯用椅子の断面図である。
【図８Ａ】本明細書に記載されているようなカップ・ホルダ・アセンブリの一実施例の等角図である。
【図８Ｂ】本明細書に記載されているような、飲料容器を固定しているカップ・ホルダの断面図である。
【図８Ｃ】本明細書に記載されているような、飲料容器を固定しているカップ・ホルダの断面図である。
【図９Ａ】本明細書に記載されているような図１の例示的な携帯用椅子上に設置されているものとしてのカップ・ホルダ・アセンブリの等角図である。
【図９Ｂ】本明細書に記載されているような図１の例示的な携帯用椅子上に設置されているものとしてのカップ・ホルダ・アセンブリの等角図である。
【図１０Ａ】本明細書に記載されているような図９Ｂに示すものとしての例示的な携帯用椅子上に設置されているカップ・ホルダ・アセンブリの詳細図である。
【図１０Ｂ】本明細書に記載されているような図９Ｂに示すものとしての例示的な携帯用椅子上に設置されているカップ・ホルダ・アセンブリの詳細図である。
【図１１】本明細書に記載されている１つ又は複数の態様による、折り畳み構成にある図１の例示的な携帯用椅子上に設置されているものとしてのカップ・ホルダ・アセンブリの正面斜視図である。
【図１２】本明細書に記載されている１つ又は複数の態様による、折り畳み構成にある図１の例示的な携帯用椅子上に設置されているものとしてのカップ・ホルダ・アセンブリの正面斜視図である。
【図１３Ａ】本明細書に記載されている１つ又は複数の態様による、外向き位置から内向き位置へと回転しているカップ・ホルダ・アセンブリの詳細図である。
【図１３Ｂ】本明細書に記載されている１つ又は複数の態様による、外向き位置から内向き位置へと回転しているカップ・ホルダ・アセンブリの詳細図である。
【図１３Ｃ】本明細書に記載されている１つ又は複数の態様による、外向き位置から内向き位置へと回転しているカップ・ホルダ・アセンブリの詳細図である。
【図１４Ａ】本明細書に記載されている１つ又は複数の態様による、クランプ部材に対して回転しているカップ・ホルダの斜視図である。
【図１４Ｂ】本明細書に記載されている１つ又は複数の態様による、クランプ部材に対して回転しているカップ・ホルダの斜視図である。
【図１４Ｃ】本明細書に記載されている１つ又は複数の態様による、クランプ部材に対して回転しているカップ・ホルダの斜視図である。
【図１５Ａ】本明細書に記載されている１つ又は複数の態様による、カラーが係合位置にあるカップ・ホルダ・アセンブリの断面図である。
【図１５Ｂ】本明細書に記載されている１つ又は複数の態様による、カラーが係合解除位置にあるカップ・ホルダ・アセンブリの断面図である。
【図１６Ａ】本明細書に記載されている１つ又は複数の態様による、明瞭にするためにカップ・ホルダが取り除かれているカップ・ホルダ・アセンブリの斜視図である。
【図１６Ｂ】本明細書に記載されている１つ又は複数の態様による、カラー構成要素を通じたカップ・ホルダ・アセンブリの断面ビューの斜視図である。
【図１７】本明細書に記載されているより多くの態様のうちの１つによるカップ・ホルダ・アセンブリのクランプ部材の正面図である。
【図１８Ａ】本明細書に記載されている１つ又は複数の態様による、カップ・ホルダ・アセンブリのカラー構成要素の正面斜視図である。
【図１８Ｂ】本明細書に記載されている１つ又は複数の態様による、カップ・ホルダ・アセンブリのカラー構成要素の背面斜視図である。
【図１９】本明細書に記載されている１つ又は複数の態様によるカップ・ホルダ・アセンブリのカップ・ホルダ構成要素の詳細図である。
【図２０Ａ】本明細書に記載されている１つ又は複数の態様による、カラーが係合位置にあるカップ・ホルダ・アセンブリの代替の実施例の断面図である。
【図２０Ｂ】本明細書に記載されている１つ又は複数の態様による、カラーが係合解除位置にあるカップ・ホルダ・アセンブリの代替の実施例の断面図である。
【図２１】本明細書に記載されている１つ又は複数の態様による、明瞭にするためにカップ・ホルダが取り除かれているカップ・ホルダ・アセンブリの代替の実施例の斜視図である。
【図２２Ａ】本明細書に記載されている１つ又は複数の態様による、椅子に取り付けられているカップ・ホルダ・アセンブリの代替の実施例の詳細な斜視図である。
【図２２Ｂ】本明細書に記載されている１つ又は複数の態様による、椅子に取り付けられているカップ・ホルダ・アセンブリの代替の実施例の斜視図である。
【図２３】本明細書に記載されている１つ又は複数の態様による、椅子に取り付けられている図２２のカップ・ホルダ・アセンブリの分解ビューの斜視図である。
【図２４Ａ】本明細書に記載されている１つ又は複数の態様による、椅子上の取り付け基部に部分的に取り付けられている図２２のカップ・ホルダの斜視図である。
【図２４Ｂ】本明細書に記載されている１つ又は複数の態様による、椅子上の取り付け基部に対する図２２のカップ・ホルダの分解ビューの斜視図である。
【図２５Ａ】本明細書に記載されている１つ又は複数の態様による、椅子に取り付けられている図２２のカップ・ホルダ・アセンブリの取り付け基部の斜視図である。
【図２５Ｂ】本明細書に記載されている１つ又は複数の態様による、図２２のカップ・ホルダ・アセンブリ及び椅子へのその取り付けの分解斜視図である。
【図２６Ａ】本明細書に記載されている１つ又は複数の態様による、カップ・ホルダ内に固定されている容器を有する図２２のカップ・ホルダ・アセンブリの側面図である。
【図２６Ｂ】本明細書に記載されている１つ又は複数の態様による、カップ・ホルダ内に固定されている容器を有する図２２のカップ・ホルダ・アセンブリの側面図である。
【図２６Ｃ】本明細書に記載されている１つ又は複数の態様による、カップ・ホルダ内に固定されている容器を有する図２２のカップ・ホルダ・アセンブリの側面図である。
【図２７】本明細書に記載されている１つ又は複数の態様による、カップ・ホルダ内に固定されているハンドルを有する容器を有する図２２のカップ・ホルダ・アセンブリの斜視図である。
【図２８】本明細書に記載されている１つ又は複数の態様による図２２のカップ・ホルダ・アセンブリのカップ・ホルダの右側正面斜視図である。
【図２９】本明細書に記載されている１つ又は複数の態様による図２２のカップ・ホルダ・アセンブリのカップ・ホルダの左側正面斜視図である。
【図３０】本明細書に記載されている１つ又は複数の態様による図２２のカップ・ホルダ・アセンブリのカップ・ホルダの正面図である。
【図３１】本明細書に記載されている１つ又は複数の態様による図２２のカップ・ホルダ・アセンブリのカップ・ホルダの裏面図である。
【図３２】本明細書に記載されている１つ又は複数の態様による図２２のカップ・ホルダ・アセンブリのカップ・ホルダの右面図である。
【図３３】本明細書に記載されている１つ又は複数の態様による図２２のカップ・ホルダ・アセンブリのカップ・ホルダの左面図である。
【図３４】本明細書に記載されている１つ又は複数の態様による図２２のカップ・ホルダ・アセンブリのカップ・ホルダの上面図である。
【図３５】本明細書に記載されている１つ又は複数の態様による図２２のカップ・ホルダ・アセンブリのカップ・ホルダの底面図である。
【図３６】本明細書に記載されている１つ又は複数の態様による図３４に示す図２２のカップ・ホルダ・アセンブリのカップ・ホルダの断面図である。
【図３７】本明細書に記載されている１つ又は複数の態様による図２２のカップ・ホルダ・アセンブリのカップ・ホルダの取り付け部材の底面図である。
【図３８】本明細書に記載されている１つ又は複数の態様による図２２のカップ・ホルダ・アセンブリの代替の実施例の斜視図である。
【図３９】本明細書に記載されている１つ又は複数の態様による図３８のカップ・ホルダ・アセンブリの取り付け基部の斜視図である。
【図４０】本明細書に記載されている１つ又は複数の態様による図２２のカップ・ホルダ・アセンブリの代替の実施例の斜視図である。
【図４１】本明細書に記載されているより多くの態様のうちの１つによる図４０のカップ・ホルダ・アセンブリの取り付け基部の斜視図である。
【図４２】本明細書に記載されている１つ又は複数の態様による図２２のカップ・ホルダ・アセンブリの代替の実施例の斜視図である。
【図４３Ａ】本明細書に記載されている１つ又は複数の態様による図４２のカップ・ホルダ・アセンブリのカップ・ホルダの斜視図である。
【図４３Ｂ】本明細書に記載されている１つ又は複数の態様による図４２のカップ・ホルダ・アセンブリのカップ・ホルダの代替の実施例の斜視図である。
【図４４Ａ】本明細書に記載されている１つ又は複数の態様による図４２のカップ・ホルダ・アセンブリの取り付け基部の斜視図である。
【図４４Ｂ】本明細書に記載されている１つ又は複数の態様による図４２のカップ・ホルダ・アセンブリの代替の取り付け基部の斜視図である。
【図４５】本明細書に記載されている１つ又は複数の態様による図２２のカップ・ホルダ・アセンブリの代替の実施例の側面図である。
【図４６】本明細書に記載されているより多くの態様のうちの１つによる図４５のカップ・ホルダ・アセンブリのカップ・ホルダの斜視図である。
【図４７】本明細書に記載されている１つ又は複数の態様による図４５のカップ・ホルダ・アセンブリの取り付け基部の斜視図である。
【図４８】本明細書に記載されている１つ又は複数の態様による図２２のカップ・ホルダ・アセンブリの代替の実施例の取り付け基部の斜視図である。
【図４９】本明細書に記載されている１つ又は複数の態様による図２２のカップ・ホルダ・アセンブリの代替の実施例の取り付け基部の正面図である。
【図５０】本明細書に記載されている１つ又は複数の態様による図４９のカップ・ホルダ・アセンブリの代替の実施例の取り付け基部の斜視図である。
【発明を実施するための形態】
【００２８】
本開示の様々な実例及び構成要素の以下の説明において、本明細書の一部を形成し、例示として、本開示の態様を実践することができる様々な例示的な構造及び環境が示されている、添付の図面が参照される。他の構造及び環境を利用することができること、並びに、本開示の範囲から逸脱することなく、具体的に記載されている構造及び方法から構造的及び機能的変更を行うことができることは理解されたい。
【００２９】
また、「上部」、「下部」、「正面」、「裏面」、「側方」、「背面」、「上向き」、「下向き」、右、左などの用語が、本明細書において、本発明の様々な例示的な特徴及び要素を説明するために使用されている場合があるが、これらの用語は、本明細書においては、例えば、図面に示されている例示的な向き又は典型的な使用中の向きに基づいて、便宜上使用されている。加えて、「複数」という用語は、本明細書において使用される場合、必要に応じて無限数まで、離接的又は接続的にのいずれかで、１よりも大きい任意の数を示す。本明細書内の何物も、本発明の範囲内に入るために構造の特定の三次元の向きを必要とするものとして解釈されるべきではない。また、読者には、添付の図面は必ずしも原寸比例とは限らないことを勧告しておく。
【００３０】
椅子の概説
図１は、折り畳み可能な携帯用椅子とすることができる、椅子１００の実例の正面斜視図を示す。椅子１００は、前脚１１２Ａ及び１１２Ｂを接続する前方スレッド１１０、並びに、後脚１２２Ａ及び１２２Ｂを接続する後方スレッド１２０を含むことができる。前方スレッド１１０及び後方スレッド１２０は、表面上で椅子１００を支持するように構成することができる。前脚１１２Ａ及び１１２Ｂは、前方クロスバー１１４によってさらに接続及び補強することができる。椅子１００はまた、座部フレーム１３１に接続されている座部１３０、及び、背もたれフレーム１４１に接続されている背もたれ１４０も含むことができる。椅子１００は、アーム・レスト１５０Ａ及び１５０Ｂを含むことができる。下記にさらに詳細に論じるように、椅子１００は、保管及び運搬しやすくするために、より小さいプロファイルに折り畳まれるように構成することができる。
【００３１】
加えて、椅子１００は、椅子１００の左側（例えば、アーム・レスト１５０Ｂに対応する側）にある構成要素が、右側（例えば、アーム・レスト１５０Ａに対応する側）に映される対称構造のものとすることができる。そのため、前脚１１２Ｂは前脚１１２Ａに対応することができ、アーム・レスト１５０Ｂは、アーム・レスト１５０Ａに対応することができ、他も同様である。さらに、下記にさらに詳細に説明するように、椅子１００の左側から右側へと延伸する、座部フレーム１３１及び背もたれフレーム１４１のような椅子１００の構成要素も、対称構造のものとすることができる。例えば、座部フレーム１３１は、左側にある第１の座部取り付けレール及び右側にある第２の座部取り付けレールを含むことができ、背もたれフレーム１４１は、左側にある第１の背もたれ取り付けレール及び右側にある第２の背もたれ取り付けレールを含むことができ、他も同様である。
【００３２】
脚
携帯用椅子１００は、２つの前脚１１２Ａ及び１１２Ｂ並びに２つの後脚１２２Ａ及び１２２Ｂを含むことができる。２つの前脚１１２Ａ及び１１２Ｂ並びに２つの後脚１２２Ａ及び１２２Ｂは、円筒形の棒、管、及び／又はシャフトとすることができ、例えば、アルミニウム、チタン、ステンレス鋼、スカンジウム、金属合金、ポリマー、複合材、炭素繊維、及び／又は竹などの木材から作製することができる。２つの前脚１１２Ａ及び１１２Ｂ並びに２つの後脚１２２Ａ及び１２２Ｂの作製にアルミニウム、チタン、ステンレス鋼、スカンジウム、及び／又は金属合金が使用される場合、金属は、ハイドロフォーム及び真空鋳造することができ、塩水噴霧などの環境条件によって誘発される腐食を防止するために、陽極酸化処理、めっき、塗装、粉体塗装、及び／又はエナメルの被着を通じて処理することができる。加えて、脚１１２Ａ、１１２Ｂ、１２２Ａ、及び１２２Ｂの作製に使用される金属及び合金は、硬度、堅牢性、並びに引張強度及びせん断強度を増大させるために、アニーリング、表面焼き入れ、析出強化、焼き戻し、焼きならし、及び／又は焼き入れを通じて処理することができる。
【００３３】
携帯用椅子１００の前脚１１２Ａ及び１１２Ｂは、前方クロスバー１１４によって接続することができる。前方クロスバー１１４は、前脚１１２Ａ及び１１２Ｂのものと同じ材料（例えば、アルミニウム、チタン、ステンレス鋼、スカンジウム、金属合金、炭素繊維、及び／又は竹）から作製されてもよく、又は、前脚１１２Ａ及び１１２Ｂのものとは異なる材料から作製されてもよい。前脚１１２Ａ及び１１２Ｂが金属から作製され、前方クロスバー１１４も金属から作製される場合、前方クロスバー１１４は、前脚１１２Ａ及び１１２Ｂの内側部分に溶接することができる。代替的に、前脚１１２Ａ及び１１２Ｂ並びに前方クロスバー１１４は、成型動作において単一の連続片に作製されてもよい。そのような場合、作製は、ハイドロフォームを通じて行うことができる。同様に、前脚１１２Ａ及び１１２Ｂが炭素繊維から作製され、前方クロスバー１１４も炭素繊維から作製される場合、前脚１１２Ａ及び１１２Ｂ並びに前方クロスバー１１４は、成型動作において単一の連続片に作製することができる。しかしながら、例えば、前脚１１２Ａ及び１１２Ｂが前方クロスバー１１４のものとは異なる材料から作製される場合、前方クロスバー１１４が前脚１１２Ａ及び１１２Ｂの内側部分にねじ止め、ボルト止め、クランプ締め、又は他の様態で固定され得ることも企図される。前方クロスバー１１４は、低可撓性且つ低クリープ部材であってもよく、最大２２６．７９６ｋｇ（５００ｌｂ）の加負荷をサポートすることが可能であり得る。図１には示されていないが、場合によっては、携帯用椅子１００の後脚１２０Ａ及び１２０Ｂは、前脚１１０Ａ及び１１０Ｂ並びに前方クロスバー１１４に関して上述した構成と同様に、後方クロスバーによって接続することができる。
【００３４】
いくつかの実施例において、異なる材料の組み合わせを使用して、椅子１００を形成することができる。例えば、前脚１１０Ａ及び１１０Ｂ並びに前方クロスバー１１４は、後脚１２０Ａ及び１２０Ｂのものとは異なる材料から作製されてもよい。例えば、前脚１１０Ａ及び１１０Ｂ並びに前方クロスバー１１４は、炭素繊維から作製されてもよく、後脚１２０Ａ及び１２０Ｂは、金属から作製されてもよい。代替的に、前脚１１０Ａ及び１１０Ｂ並びに後脚１２０Ａ及び１２０Ｂは、第１の材料（例えば、金属）から作製されてもよく、前方クロスバー１１４は、第２の材料（例えば、炭素繊維）から作製されてもよい。
【００３５】
後方クロスバーが含まれる構成において、上述したものと同様の、異なる材料の組み合わせを使用して、椅子１００を形成することができる。例えば、前脚１１０Ａ及び１１０Ｂ並びに前方クロスバー１１４は、後脚１２０Ａ及び１２０Ｂ並びに後方クロスバーのものとは異なる材料から作製されてもよい。例えば、前脚１１０Ａ及び１１０Ｂ並びに前方クロスバー１１４は、炭素繊維から作製されてもよく、後脚１２０Ａ及び１２０Ｂ並びに後方クロスバーは、金属から作製されてもよい。代替的に、前脚１１０Ａ及び１１０Ｂ並びに後脚１２０Ａ及び１２０Ｂは、第１の材料（例えば、金属）から作製されてもよく、前方クロスバー１１４及び後方クロスバーは、第２の材料（例えば、炭素繊維）から作製されてもよい。
【００３６】
スレッド及び足部
２つの前脚１１２Ａ及び１１２Ｂは、連続的な接続部材とすることができる前方スレッド１１０によって接合することができる。そのため、２つの前脚１１２Ａ及び１１２Ｂ並びに前方スレッド１１０は、例えば、本明細書に記載されている製造方法のいずれかを通じて、単一の連続片に作製することができる。同様に、２つの後脚１２２Ａ及び１２２Ｂは、後方スレッド１２０によって接合することができ、単一の連続片に作製することができる。前方スレッド１１０及び後方スレッド１２０は、塩水噴霧などの環境条件によって誘発される腐食を防止するための陽極酸化処理、めっき、塗装、粉体塗装、及び／又はエナメルの被着を通じて、並びに、硬度、堅牢性、並びに引張強度及びせん断強度を増大させるためのアニーリング、表面焼き入れ、析出強化、焼き戻し、焼きならし、及び／又は焼き入れを通じて処理することができる。
【００３７】
加えて、前方スレッド１１０は前方足部１１１Ａ及び前方足部１１１Ｂを含むことができ、これらは、隣接する接触面（例えば、床、地面など）との摩擦係合を促進又は改善するために、スレッド１１０の最下及び／又は最低部分にあるプラスチック及び／又はゴムのキャップであってもよい。前方足部は、前方足部と椅子が配置される表面との間の摩擦係数を増大させるのに適切な材料又はテクスチャを含むことができる。図２Ａ、図２Ｂ、及び図２Ｃに示すように、前方足部１１１Ａ及び１１１Ｂは、前方スレッド１１０の、前脚１１２Ａ及び１１２Ｂに近接する区画と係合するように構成することができる。そのため、前方足部１１１Ａは、前方スレッド１１０の、前脚１１２Ａに近接する区画と係合するように構成することができ、前方足部１１１Ｂは、前方スレッド１１０の、前脚１１２Ｂに近接する区画と係合するように構成することができる。
【００３８】
図２Ｃに示すように、前方足部１１１Ｂは、係合プラグ１１７Ｂを含むことができる。場合によっては、係合プラグ１１７Ｂは、前方足部１１１Ｂから半径方向に延伸するプラスチック、ゴム、及び／又は金属の突出部であってもよい。付加的に及び／又は代替的に、係合プラグ１１７Ｂは、プラスチック、ゴム、及び／又は金属から作製されるねじ状構造であってもよい。係合プラグ１１７Ｂは、前方スレッド１１０に挿入されるように構成することができる。挿入前、挿入中、又は挿入後に、結合剤及び／又は構造用接着剤を係合プラグ１１７Ｂに被着させて、前方足部１１１Ｂを前方スレッド１１０に固定することができる。加えて、前方足部１１１Ｂは、足部／スレッド接合部から水が排出されることを可能にするように構成することができる保持機構孔１１５Ｂを含むことができる。前方足部１１１Ｂと同様に、前方足部１１１Ａは、各々がスレッド１１０とインターフェースし、前方足部１１１Ｂに関して説明したように機能するように構成することができる、係合プラグ１１７Ａ及び保持機構孔１１５Ａを含むことができる。
【００３９】
また、係合プラグ１１７Ａ、１１７Ｂは各々、フレーム内に位置する水分のためのチャネルを提供する一連の孔１２３を含むことができる。一連の孔１２３は、保持機構孔１１５Ａ、１１５Ｂと組み合わせて、椅子のフレームの内部に集まる任意の水分の出口を形成する。１つの実例において、単一の孔又は複数の孔を、係合プラグ１１７Ａ、１１７Ｂ．の端部上に含めることができる。他の実例において、係合プラグ１１７Ａ、１１７Ｂは、係合プラグ１１７Ａ、１１７Ｂを通じて水が流れて、保持機構孔１１５Ａ、１１５Ｂを通じて水が逃げることを可能にする多孔質材料から形成することができる。水又は水分が椅子のフレームから逃げることを可能にするために、別個の孔をフレーム及び前方足部１１１Ａ、１１１Ｂ内に含めることができることも想定される。
【００４０】
他の実例において、前方足部１１１Ａ及び１１１Ｂは、前方スレッド１１０に被着されるプラスチック及び／又はゴムのコーティングであってもよく、２つの前脚１１２Ａ及び１１２Ｂに近接する陥凹又は切り欠きポケット内に含まれてもよい。代替的に、プラスチック及び／又はゴムのコーティングは、最下及び／又は最低部分並びに第１の前方係合面及び第２の前方係合面において前方スレッド１１０の長さに沿って被着されてもよく、連続的な前方係合面を形成することができる。他の実例において、プラスチック及び／又はゴムのコーティングは、最下及び／又は最低部分において前方スレッド１１０の長さに沿って、一様な間隔をおいて間欠的に被着されてもよい。そのような実例において、前方足部は、間欠的な前方係合面を形成することができる。
【００４１】
前方スレッド１１０と同様に、後方スレッド１２０は後方足部１２１Ａ及び後方足部１２１Ｂを含むことができ、これらは、隣接する接触面（例えば、床、地面など）との摩擦係合を促進するために、最下及び／又は最低部分にあるプラスチック及び／又はゴムのキャップであってもよい。後方足部１２１Ａ及び１２１Ｂは、後方スレッド１２０の、後脚１２２Ａ及び１２２Ｂに近接する区画と係合するように構成することができる。そのため、後方足部１２１Ａは、後方スレッド１２０の、後脚１２２Ａに近接する区画と係合するように構成することができ、後方足部１２１Ｂは、後方スレッド１２０の、後脚１２２Ｂに近接する区画と係合するように構成することができる。
【００４２】
前方足部１１１Ａ及び１１１Ｂと同様に、後方足部１２１Ａ及び１２１Ｂは各々、係合プラグ及び保持機構孔を含むことができる。後方足部１２１Ａ及び１２１Ｂの係合プラグ及び保持機構孔は、スレッド１２０とインターフェースし、前方足部１１１Ａ及び１１１Ｂに関して説明したように機能するように構成することができる。また、後方足部１２１Ａ及び１２１Ｂには、前方足部１１１Ａ及び１１１Ｂに関連して上述したものと同様の排出機構を設けることができる。
【００４３】
ここでも、他の実例において、後方足部１２１Ａ及び１２１Ｂは、後方スレッド１２０に被着されるプラスチック及び／又はゴムのコーティングであってもよく、２つの後脚１２２Ａ及び１２２Ｂに近接する陥凹ポケット内に含まれてもよい。代替的に、プラスチック及び／又はゴムのコーティングは、最下及び／又は最低部分並びに第１の後方係合面及び第２の後方係合面において後方スレッド１２０の長さに沿って被着されてもよく、連続的な後方係合面を形成することができる。他の実例において、プラスチック及び／又はゴムのコーティングは、最下及び／又は最低部分において後方スレッド１２０の長さに沿って、一様な間隔をおいて間欠的に被着されてもよい。そのような実例において、第１の後方係合面及び第２の後方係合面は、間欠的な後方係合面を形成することができる。
【００４４】
造作接合部
図３に示すように、上側及び／又は上部近位端部分において、前脚１１２Ａは、前脚造作接合部１１６Ａと交差することができる。特に、前脚造作接合部１１６Ａは、前脚１１２Ａを挿入するように構成することができる管状末端部を含むことができる。挿入前、挿入中、又は挿入後に、結合剤及び／又は構造用接着剤を前脚造作接合部１１６Ａの管状末端部及び／又は前脚１１２Ａの上側及び／又は上部近位端部分に被着させて、前脚１１２Ａを前脚造作接合部１１６Ａに固定することができる。そのような接着剤は、乾燥接着剤、感圧接着剤、コンタクト接着剤、ホット接着剤、反応型接着剤、多成分接着剤、一成分接着剤を含んでもよい。接着剤は、天然又は合成のいずれかであってもよく、エポキシ、ポリウレタン、シアノアクリレート、又はアクリル・ポリマーを含む、熱可塑性物質、エマルション、又は熱硬化性物質のうちの１つ又は複数に基づくことができる。付加的に、及び／又は代替的に、前脚１１２Ａは、前脚造作接合部１１６Ａに溶接されてもよい。
【００４５】
前脚１１２Ｂは、前脚１１２Ａ及び前脚造作接合部１１６Ａに関連して説明したように（例えば、接着及び／又は溶接）、前脚造作接合部１１６Ｂと係合するように構成することができる。
【００４６】
同様に、上側及び／又は上部近位端部分において、後脚１２２Ａは、後脚造作接合部１２６Ａと交差することができる。特に、後脚造作接合部１２６Ａは、後脚１２２Ａを挿入するように構成することができる管状末端部を含むことができる。挿入前、挿入中、又は挿入後に、本明細書において論じられているような結合剤及び／又は構造用接着剤を後脚造作接合部１２６Ａの管状末端部及び／又は後脚１２２Ａの上側及び／又は上部近位端部分に被着させて、後脚１２２Ａを後脚造作接合部１２６Ａに固定することができる。付加的に、及び／又は代替的に、後脚１２２Ａは、後脚造作接合部１２６Ａに溶接されてもよい。後脚１２２Ｂは、後脚１２２Ａ及び後脚造作接合部１２６Ａに関連して説明したように（例えば、接着及び／又は溶接）、後脚造作接合部１２６Ｂと係合するように構成することができる。それにもかかわらず、本明細書において論じられている接合部は、摩擦嵌め、ねじ、玉継手、バヨネット接続などのような、機械的固定技法によって形成され得ることも企図される。
【００４７】
特定の構成では、前脚１１２Ａの上側及び／又は上部近位端部分において、前脚１１２Ａは、後ろ向き方向において鈍角で屈曲することができ、前脚造作接合部１１６Ａにおいて終端することができる。場合によっては、前脚造作接合部１１６Ａは、前脚１１０Ａの連続的な上側及び／又は上部終端部分であってもよく、前脚１１２Ａのものと同じ材料（例えば、アルミニウム、チタン、スカンジウム、金属合金、炭素繊維、及び／又は竹）から作製されてもよい。
【００４８】
後脚１２２Ａは、上側及び／又は上部近位端部分へと直線的に延伸することができ、後脚造作接合部１２６Ａにおいて終端することができる。後脚造作接合部１２６Ａは、後脚１２２Ａの連続的な上側及び／又は上部終端部分であってもよく、後脚１２２Ａのものと同じ材料（例えば、アルミニウム、チタン、スカンジウム、金属合金、炭素繊維、及び／又は竹）から作製されてもよい。
【００４９】
前脚造作接合部１１６Ａ、１１６Ｂは、後脚造作接合部１２６Ａ、１２６Ｂと接合、インターフェース、及び／又は他の様態で接続するように構成することができる。１つの実例において、前方造作接合部１１６Ａ、１１６Ｂ及び後方造作接合部１２６Ａ、１２６Ｂは、ピン１２８Ａ、１２８Ｂを中心として旋回するように構成されており、結果、前脚１１２Ａ、１１２Ｂは、後脚１２２Ａ、１２２Ｂに対して旋回するように構成される。
【００５０】
座部及び座部フレーム
携帯用椅子１００は、座部フレーム１３１に取り外し可能に取り付けることができる座部１３０を含むことができる。前脚１１２Ａ及び１１２Ｂは、それぞれ、ピン１７１Ａ及び１７１Ｂを介して座部フレーム１３１の前脚取り付け部分１７０Ａ及び１７０Ｂに回転可能に接合及び／又は固定されるように構成することができる。ブッシング１７３Ａ及び１７３Ｂが、前脚取り付け部分１７０Ａ及び１７０Ｂと前脚１１２Ａ及び１１２Ｂとの間に延伸することができる。
【００５１】
座部フレーム１３１は、円筒形の棒、管、シャフト、及び／又は押し出しＩビームであってもよく、アルミニウム、チタン、ステンレス鋼、スカンジウム、金属合金、炭素繊維、及び／又は竹から作製されてもよい。座部フレーム１３１の作製にアルミニウム、チタン、ステンレス鋼、スカンジウム、及び／又は金属合金が使用される場合、材料は、ハイドロフォーム及び真空鋳造することができ、塩水噴霧などの環境条件によって誘発される腐食を防止するために、陽極酸化処理、めっき、塗装、粉体塗装、及び／又はエナメルの被着を通じて処理することができる。加えて、座部フレーム１３１の作製に使用される金属は、硬度、堅牢性、並びに引張強度及びせん断強度を増大させるために、アニーリング、表面焼き入れ、析出強化、焼き戻し、焼きならし、及び／又は焼き入れを通じて処理することができる。
【００５２】
座部フレーム１３１は、それぞれ、ピン１７１Ａ及び１７１Ｂによる座部フレーム１３１の前脚１１２Ａ及び１１２Ｂへの回転可能な取り付けを促進するように構成することができる前脚取り付け部分１７０Ａ及び１７０Ｂを含むことができる。加えて、座部フレーム１３１は、座部造作接合部１３３Ａ及び１３３Ｂと交差することができる。特に、座部造作接合部１３３Ａ及び１３３Ｂは、座部フレーム１３１を挿入するように構成することができる管状末端部を含むことができる。挿入前、挿入中、又は挿入後に、本明細書において論じられているような結合剤及び／又は構造用接着剤を座部造作接合部１３３Ａ及び１３３Ｂの管状末端部及び／又は座部フレーム１３１の終端部に被着させて、座部フレーム１３１を座部造作接合部１３３Ａ及び１３３Ｂに固定することができる。
【００５３】
図４Ｂ、図５Ａ、図７Ａ及び図７Ｂに示すように、座部フレーム１３１は運搬ハンドル１７２を含むことができる。運搬ハンドル１７２は、座部フレーム１３１の内面から延伸する前方オーバーモールド固定押し出し体であってもよい。ハンドル１７２は、椅子１００を運搬するために、大きさが２倍の掴みやすい運搬ハンドルとすることができる。運搬ハンドル１７２は、座部フレーム１３１の前方部分の内面上に位置決めすることができ、座部フレーム１３１のものと同じ材料（例えば、アルミニウム、チタン、ステンレス鋼、スカンジウム、金属合金、炭素繊維、及び／又は竹）から作製されてもよい。そのため、運搬ハンドル１７２は、座部フレーム１３１の連続片として製造することができる。したがって、座部フレーム１３１及び運搬ハンドル１７２の作製にアルミニウム、チタン、ステンレス鋼、スカンジウム、及び／又は金属合金が使用される場合、材料は、ハイドロフォーム及び真空鋳造して座部フレーム１３１及び運搬ハンドル１７２にすることができ、塩水噴霧などの環境条件によって誘発される腐食を防止するために、陽極酸化処理、めっき、塗装、粉体塗装、及び／又はエナメルの被着を通じて処理することができる。加えて、座部フレーム１３１及び運搬ハンドル１７２の作製に使用される金属は、硬度、堅牢性、並びに引張強度及びせん断強度を増大させるために、アニーリング、表面焼き入れ、析出強化、焼き戻し、焼きならし、及び／又は焼き入れを通じて処理することができる。
【００５４】
代替的に、運搬ハンドル１７２は、座部フレーム１３１と連続片を形成しなくてもよく、そのため、別個の構成要素であってもよい。そのような場合、運搬ハンドル１７２は、座部フレーム１３１のものと同じ材料から作製されてもよく、又は、異なる材料から作製されてもよい。いずれにせよ、運搬ハンドル１７２は、接着、溶接、機械的固定（例えば、ナット及びボルト）などを介して座部フレーム１３１に取り付けることができる。
【００５５】
座部／座部フレーム係合の第１の実施例
座部／座部フレーム係合の第１の実施例によれば、図４Ｂに示すように、運搬ハンドル１７２は、運搬ハンドル１７２の第１の側（例えば、運搬ハンドル１７２の左側）にある前方取り付け孔１７７Ｂと、運搬ハンドル１７２の第２の側（例えば、運搬ハンドル１７２の右側）にある前方取り付け孔１７７Ａと、運搬ハンドル１７２の第３の側（例えば、運搬ハンドル１７２の中央）にある前方取り付け孔１７７と含むことができる。下記にさらに詳細に説明するように、前方取り付け孔１７７、１７７Ａ、及び１７７Ｂはそれぞれ、座部１３０の前方取り付けクリップ１８７、１８７Ａ、及び１８７Ｂと係合するように構成することができる。
【００５６】
さらに、座部フレーム１３１はまた、座部取り付けレール１７２Ｂも含むことができる。座部取り付けレール１７２Ｂは、アーム・レスト１５０Ｂ、前脚１１２Ｂなどに近接する座部フレーム１３１の側部の内面上に位置決めすることができる。座部取り付けレール１７２Ｂは、座部フレーム１３１のものと同じ材料（例えば、アルミニウム、チタン、ステンレス鋼、スカンジウム、金属合金、炭素繊維、及び／又は竹）から作製されてもよい。そのため、座部取り付けレール１７２Ｂは、座部フレーム１３１の連続片として製造することができる。したがって、座部フレーム１３１及び座部取り付けレール１７２Ｂの作製にアルミニウム、チタン、ステンレス鋼、スカンジウム、及び／又は金属合金が使用される場合、材料は、ハイドロフォーム及び真空鋳造して座部フレーム１３１及び座部取り付けレール１７２Ｂにすることができ、塩水噴霧などの環境条件によって誘発される腐食を防止するために、陽極酸化処理、めっき、塗装、粉体塗装、及び／又はエナメルの被着を通じて処理することができる。加えて、座部フレーム１３１及び座部取り付けレール１７２Ｂの作製に使用される金属は、硬度、堅牢性、並びに引張強度及びせん断強度を増大させるために、アニーリング、表面焼き入れ、析出強化、焼き戻し、焼きならし、及び／又は焼き入れを通じて処理することができる。
【００５７】
代替的に、座部取り付けレール１７２Ｂは、座部フレーム１３１と連続片を形成しなくてもよく、そのため、別個の構成要素であってもよい。そのような場合、座部取り付けレール１７２Ｂは、座部フレーム１３１のものと同じ材料から作製されてもよく、又は、異なる材料から作製されてもよい。いずれにせよ、座部取り付けレール１７２Ｂは、接着、溶接、機械的固定（例えば、ナット及びボルト）などを介して座部フレーム１３１に取り付けることができる。
【００５８】
座部取り付けレール１７２Ｂは、リブ係合チャネル及び複数の側方取り付け孔を含むことができる。例えば、図４Ｂに示すように、座部取り付けレール１７２Ｂは、リブ係合チャネル１７５Ｂ及び側方取り付け孔１７４Ｂを含むことができる。リブ係合チャネル１７５Ｂは、座部取り付けレール１７２Ｂの全長に沿って延在することができる。リブ係合チャネル１７５Ｂは、座部１３０の側方リブ１８５Ｂ及びフランジ１９１Ｂを支持するように構成することができる。複数の側方取り付け孔１７４Ｂは、リブ係合チャネル１７５Ｂ上に位置決めすることができる。側方取り付け孔１７４Ｂの各々は、座部１３０の側方取り付けねじ接合部１８４Ｂを受け入れるように構成することができる。図４Ｂには５つの側方取り付け孔１７４Ｂが示されているが、より少数（例えば、１つ、２つ、３つ、又は４つ）又はより多数（６つ、１０個など）の側方取り付け孔１７４Ｂが含まれてもよい。
【００５９】
座部フレーム１３１はまた、座部取り付けレール１７２Ａも含むことができる。座部取り付けレール１７２Ａは、アーム・レスト１５０Ａ、前脚１１２Ａなどに近接する座部フレーム１３１の側部の内面上に位置決めすることができる。座部取り付けレール１７２Ａは、座部フレーム１３１のものと同じ材料（例えば、アルミニウム、チタン、ステンレス鋼、スカンジウム、金属合金、炭素繊維、及び／又は竹）から作製されてもよい。そのため、座部取り付けレール１７２Ａは、座部フレーム１３１の連続片として製造することができる。したがって、座部フレーム１３１及び座部取り付けレール１７２Ａの作製にアルミニウム、チタン、ステンレス鋼、スカンジウム、及び／又は金属合金が使用される場合、材料は、ハイドロフォーム及び真空鋳造して座部フレーム１３１及び座部取り付けレール１７２Ａにすることができ、塩水噴霧などの環境条件によって誘発される腐食を防止するために、陽極酸化処理、めっき、塗装、粉体塗装、及び／又はエナメルの被着を通じて処理することができる。加えて、座部フレーム１３１及び座部取り付けレール１７２Ａの作製に使用される金属は、硬度、堅牢性、並びに引張強度及びせん断強度を増大させるために、アニーリング、表面焼き入れ、析出強化、焼き戻し、焼きならし、及び／又は焼き入れを通じて処理することができる。
【００６０】
代替的に、座部取り付けレール１７２Ａは、座部フレーム１３１と連続片を形成しなくてもよく、そのため、別個の構成要素であってもよい。そのような場合、座部取り付けレール１７２Ａは、座部フレーム１３１のものと同じ材料から作製されてもよく、又は、異なる材料から作製されてもよい。いずれにせよ、座部取り付けレール１７２Ａは、接着、溶接、機械的固定（例えば、ナット及びボルト）などを介して座部フレーム１３１に取り付けることができる。
【００６１】
座部取り付けレール１７２Ａは、リブ係合チャネル及び複数の側方取り付け孔を含むことができる。例えば、図４Ｂに示すように、座部取り付けレール１７２Ａは、リブ係合チャネル１７５Ａ及び側方取り付け孔１７４Ａを含むことができる。リブ係合チャネル１７５Ａは、座部取り付けレール１７２Ａの全長に沿って延在することができる。リブ係合チャネル１７５Ａは、座部１３０の側方リブ１８５Ａ及びフランジ１９１Ａを支持するように構成することができる。複数の側方取り付け孔１７４Ａは、リブ係合チャネル１７５Ａ上に位置決めすることができる。側方取り付け孔１７４Ａの各々は、座部１３０の側方取り付けねじ接合部１８４Ａを受け入れるように構成することができる。図４Ｂには５つの側方取り付け孔１７４Ａが示されているが、より少数（例えば、１つ、２つ、３つ、又は４つ）又はより多数（６つ、１０個など）の側方取り付け孔１７４Ａが含まれてもよい。
【００６２】
図４Ａを参照すると、座部１３０は、限定ではないが、強化織布、帆布、オーニング生地、ケブラー、防水キャンバス、ビニル被覆ポリエステル、ナイロン・メッシュ、ネオプレン、アルミめっきナイロン、及び／又は綿キャンバスを含む複数の材料のいずれかから構成されてもよい。いくつかの実施例において、材料は、ＵＶ安定性及び耐候性、耐火性、摩耗及び引き裂き耐性、及び耐水性を増大させることを可能にするように処理することができる。
【００６３】
座部１３０の作製に使用される材料は、高透過性織物タイプ及び／又はメッシュ状構造に製造することができ、そのため、負荷容量及びユーザ快適性を増大させることを可能にすることができる。座部１３０の織物タイプ及び／又はメッシュ状生地構造の周縁は、剛性熱可塑性オーバーモールドであってもよい座部フレーム境界１８３とインターフェースするように構成することができる。座部１３０と座部フレーム境界１８３との間の接合部の形成において、座部フレーム境界１８３は、局所射出成型の方法を通じて座部１３０にオーバーモールドすることができる。この工程は、座部１３０の周縁に沿った生地織りを通じて熱可塑性特徴部（例えば、座部フレーム境界１８３及びその中に含まれる構成要素）を形成することができる。局所射出成型の方法が完了した後、座部１３０の織物タイプ及び／又はメッシュ状生地構造を緊張させることができ、座部フレーム境界１８３を座部１３０に剛直に取り付けることができる。そのような取り付け方法は、座部生地における縫製をなくすことができ、延長線上で考えると、再現性、耐久性、寸法正確性、フレーム取り付け柔軟性、及び、美観の向上を含む利点をもたらすことができる。
【００６４】
座部フレーム境界１８３は、座部１３０と座部フレーム１３１との間の係合を補助及び／又は促進するように構成されている様々なタイプの複数の突出部を含むことができる。特に、座部フレーム境界１８３は、前方取り付けクリップ１８７、１８７Ａ、及び１８７Ｂと、座部フレーム・コーナ係合面１８９Ａ及び１８９Ｂと、側方取り付けねじ接合部１８４Ａ及び１８４Ｂと、側方リブ１８５Ａ及び１８５Ｂと、フランジ１９１Ａ及び１９１Ｂと、後方バー溝１９６とを含むことができる。
【００６５】
座部１３０は、座部フレーム１３１に取り外し可能に取り付け及び／又は係合するように構成することができる。取り外し可能取り付け及び／又は係合の形成において、座部１３０の座部フレーム境界１８３の様々な突出部は、前方ハンドル１７２並びに座部取り付けレール１７２Ａ及び１７２Ｂの特定の態様に取り外し可能に接続、挿入、及び／又はインターフェースするように構成することができる。例えば、座部フレーム境界１８３の前方取り付けクリップ１８７、１８７Ａ、及び１８７Ｂ、並びに、側方取り付けねじ接合部１８４Ａ及び１８４Ｂはそれぞれ、運搬ハンドル１７２の前方取り付け孔１７７、１７７Ａ、及び１７７Ｂ、並びに、座部取り付けレール１７２Ａ及び１７２Ｂの側方取り付け孔１７４Ａ及び１７４Ｂに取り外し可能に接続、挿入、及び／又はインターフェースするように構成することができる。加えて、座部１３０の座部フレーム境界１８３の座部フレーム・コーナ係合面１８９Ａ及び１８９Ｂ並びに後方バー溝１９６はそれぞれ、座部フレーム１３１の座部フレーム・コーナ１７９Ａ及び１７９Ｂ並びに後方バー１９７に取り外し可能にインターフェースするように構成することができる。
【００６６】
さらに、座部１３０の座部フレーム境界１８３の側方リブ１８５Ａ及び１８５Ｂ並びにフランジ１９１Ａ及び１９１Ｂは、座部取り付けレール１７２Ａ及び１７２Ｂのリブ係合チャネル１７５Ａ及び１７５Ｂに取り外し可能にインターフェースするように構成することができる。側方リブ１８５Ａ、１８５Ｂは、負荷担持リブとすることができ、座部取り付けレール１７２Ａ、１７２Ｂのリブ係合チャネル１７５Ａ、１７５Ｂとインターフェースするように構成することができる。側方リブ１８５Ａ、１８５Ｂは、座部フレーム境界１８３の右側及び左側の底面から延伸することができ、フランジ１９１Ａ、１９１Ｂは、座部フレーム境界１８３の各側に位置することができる。一連のフランジ１９１Ａ、１９１Ｂは、座部フレーム境界１８３の底面及び側方リブ１７５Ａ、１７５Ｂの外面に垂直に延伸することができる。側方リブ１８５Ａ、１８５Ｂ及び一連のフランジ１９１Ａ、１９１Ｂは、座部が負荷をかけられるときに側方リブがねじれるのを防止することができる。そのため、側方リブ１８５Ａ、１８５Ｂ及びフランジ１９１Ａ、１９１Ｂは、座部１３０及び座部フレーム１３１が取り付け状態又は分離状態のいずれかにあるときに、側方取り付けねじ接合部１８４Ａ、１８４Ｂからの構造的負荷を軽減することができ、また、座部１３０が座部フレーム１３１に取り付けられている状態において側方取り付けねじ接合部１８４Ａ、１８４Ｂによって与えられる力に対して相補的な力を与えることもできる。取り付け状態において、側方リブ１８５Ａ、１８５Ｂは、座部取り付けレール１７２Ａ、１７２Ｂの長さをトラバースすることができ、フランジ１９１Ａ、１９１Ｂは、座部取り付けレール１７２Ａ、１７２Ｂの水平領域に及ぶことができる。フランジ１９１Ａ、１９１Ｂの数は、椅子の所望の閾値負荷、各フランジの厚さ、及び椅子の重量配分に基づいて選択することができる。
【００６７】
図４Ｃ及び図４Ｄをより詳細に参照すると、側方取り付けねじ接合部１８４Ａは、座部１３０と座部フレーム１３１との間の取り外し可能な取り付けの形成中に、側方取り付け孔１７４Ｂを通じて挿入されるように構成することができる。側方取り付けねじ接合部１８４Ａは、座部１３０を座部フレーム１３１に固定するために、ねじ１９４Ｂを受け入れるように構成することができる。例えば、側方取り付けねじ接合部１８４Ｂは、側方取り付け孔１７４Ｂを通じて挿入することができる。ねじアクセス・パネル１９５Ｂは、側方取り付けねじ接合部１８４Ｂを露出させるために、側方レール１７２Ｂから取り外すことができる。ねじアクセス・パネル１９５Ｂを取り外した後、ねじ１９４Ｂを、側方取り付けねじ接合部１８４Ｂに回転可能に挿入することができる。同様に、複数のねじ１９４Ｂを、側方取り付けねじ接合部１８４Ｂの各々に回転可能に挿入することができる。ねじ１９４Ｂの各々が側方取り付けねじ接合部１８４Ｂに挿入された後、ねじアクセス・パネル１９５Ｂを側方取り付けレール１７２Ｂに再び取り付けることができる。側方取り付けねじ接合部１８４Ａ、側方取り付け孔１７８Ａ、ねじアクセス・パネル１９５Ａ、及びねじ１９５Ａについて、同様の工程を実施することができる。
【００６８】
上述したように、座部１３０は、座部フレーム境界１８３及びそこに形成されている複数の突出部によって、座部フレーム１３１の側方取り付けレール１７２Ａ及び１７２Ｂ並びに運搬ハンドル１７２と係合するように構成することができる。場合によっては、座部フレーム境界１８３は、座部フレーム境界１８３の第１の端部（例えば、前方部分）を座部フレーム１３１の第１の端部（例えば、前方部分）内に配置し、座部フレーム境界１８３を座部フレーム１３１の第１の端部から座部フレーム１３１の第２の端部（例えば、後方部分）へと回転及び／又は屈曲させることによって、座部フレーム１３１に固定することができる。座部フレーム境界１８３の座部フレーム１３１の第１の端部から第２の端部への回転及び／又は屈曲によって、座部フレーム境界１８３の複数の突出部が、座部取り付けレール内の複数のスロットと位置整合され、座部フレーム境界１８３が座部フレーム１３１上に取り外し可能に取り付けられ得る。
【００６９】
代替的に、座部フレーム境界１８３は、座部フレーム境界１８３の左側にある最後方の側方取り付けねじ接合部１８４Ｂを、左側方取り付けレール１７２Ｂの最後方の側方取り付け孔１７４Ｂに挿入し、座部フレーム境界１８３の右側にある最後方の側方取り付けねじ接合部１８４Ａを、右側方取り付けレール１７２Ａの最後方の側方取り付け孔１７４Ａに挿入することによって、座部フレーム１３１に固定されてもよい。次に、座部フレーム境界１８３の左側にある第１、第２の、及び第３の中央側方取り付けねじ接合部１８４Ｂを、左側方取り付けレール１７２Ｂの第１、第２、及び第３の中央側方取り付け孔１７４Ｂに挿入することができる。同様に、座部フレーム境界１８３の右側にある第１、第２の、及び第３の中央側方取り付けねじ接合部１８４Ａを、右側方取り付けレール１７２Ａの第１、第２、及び第３の中央側方取り付け孔１７４Ａに挿入することができる。その後、座部フレーム境界１８３の左側にある最前方の側方取り付けねじ接合部１８４Ｂを、左側方取り付けレール１７２Ｂの最前方の側方取り付け孔１７４Ｂに挿入することができ、座部フレーム境界１８３の右側にある最前方の側方取り付けねじ接合部１８４Ａを、右側方取り付けレール１７２Ａの最前方の側方取り付け孔１７４Ａに挿入することができる。次いで、座部１３０を、座部フレーム境界１８３によって、座部１３０の前方部分において回転及び／又は屈曲させて、座部フレーム境界１８３の前方取り付けクリップ１８７、１８７Ａ、及び１８７Ｂを、運搬ハンドル１７２の前方取り付け孔１７７、１７７Ａ、及び１７７Ｂと位置整合させ、挿入することができ、座部フレーム境界１８３の右側にある前方取り付けクリップを、運搬ハンドル１７２の右端部分上の前方取り付け孔と位置整合させ、挿入することができる。次に、ねじアクセス・パネル１９５Ａ及び１９５Ｂを、側方取り付けレール１７２Ａ及び１７２Ｂから取り外すことができ、ねじ１９４Ａ及び１９４Ｂの各々を、それぞれの側方取り付けねじ接合部１８４Ａ及び１８４Ｂに螺入することができる。挿入後、ねじアクセス・パネル１９５Ａ及び１９５Ｂを側方取り付けレール１７２Ａ及び１７２Ｂに再び取り付けることができる。
【００７０】
座部フレーム境界１８３の座部フレーム１３１への組み立て中、座部フレーム境界１８３は、後端から前端へと回転させることができる。そのようなステップは、後方から前方へと特定の順序において説明されているが、これらのステップはそのような順序において実施される必要はなく、任意の特定の順序において実施されてもよい。
【００７１】
さらに、座部１３０が座部フレーム１３１に取り付けられている状態において、図４Ｃに示すように、座部フレーム境界１８３は、座部フレーム１３１の外側部分とインターフェースすることができる。場合によっては、座部フレーム境界１８３は、上述した射出成型工程の後、座部フレーム境界と座部フレームとの接合部の美観的制御を可能にするために、機械加工されてもよい。
【００７２】
座部／座部フレーム係合の第２の実施例
座部／座部フレーム係合の第２の実施例によれば、図５Ａに示すように、運搬ハンドル１７２は、運搬ハンドル１７２の拳側（例えば、運搬ハンドル１７２の左側）にある前方取り付け孔１７７Ｂ及び側方開口部１７８Ｂと、運搬ハンドル１７２の第２の側（例えば、運搬ハンドル１７２の右側）にある前方取り付け孔１７７Ａ及び側方開口部１７８Ａと、運搬ハンドル１７２の第３の側（例えば、運搬ハンドル１７２の中央）にある前方取り付け孔１７７と含むことができる。下記にさらに詳細に説明するように、前方取り付け孔１７７Ｂ及び側方開口部１７８Ｂはそれぞれ、図５Ｂに示すような座部１３０の前方取り付けクリップ１８７Ｂ及び運搬ハンドル側方カバー１８８Ｂと係合するように構成することができる。上記のように、椅子１００の左側から右側へと延伸する椅子１００の構成要素（例えば、運搬ハンドル１７２）は、対称構造のものとすることができる。したがって、運搬ハンドル１７２は、前方座部取り付け孔１７７Ｂ及び側方開口部１７８Ｂのものと同様の向き及び構造の、運搬ハンドル１７２の第２の側（例えば、運搬ハンドル１７２の右側）にある前方座部取り付け孔及び側方開口部をさらに含むことができる。
【００７３】
図５Ａに戻ると、座部フレーム１３１はまた、座部取り付けレール１７２Ｂも含むことができる。座部取り付けレール１７２Ｂは、アーム・レスト１５０Ｂ、前脚１１２Ｂなどに近接する座部フレーム１３１の側部の内面上に位置決めすることができる。座部取り付けレール１７２Ｂは、座部フレーム１３１のものと同じ材料（例えば、アルミニウム、チタン、ステンレス鋼、スカンジウム、金属合金、炭素繊維、及び／又は竹）から作製されてもよい。そのため、座部取り付けレール１７２Ｂは、座部フレーム１３１の連続片として製造することができる。したがって、座部フレーム１３１及び座部取り付けレール１７２Ｂの作製にアルミニウム、チタン、ステンレス鋼、スカンジウム、及び／又は金属合金が使用される場合、材料は、ハイドロフォーム及び真空鋳造して座部フレーム１３１及び座部取り付けレール１７２Ｂにすることができ、塩水噴霧などの環境条件によって誘発される腐食を防止するために、陽極酸化処理、めっき、塗装、粉体塗装、及び／又はエナメルの被着を通じて処理することができる。加えて、座部フレーム１３１及び座部取り付けレール１７２Ｂの作製に使用される金属は、硬度、堅牢性、並びに引張強度及びせん断強度を増大させるために、アニーリング、表面焼き入れ、析出強化、焼き戻し、焼きならし、及び／又は焼き入れを通じて処理することができる。
【００７４】
代替的に、座部取り付けレール１７２Ｂは、座部フレーム１３１と連続片を形成しなくてもよく、そのため、別個の構成要素であってもよい。そのような場合、座部取り付けレール１７２Ｂは、座部フレーム１３１のものと同じ材料から作製されてもよく、又は、異なる材料から作製されてもよい。いずれにせよ、座部取り付けレール１７２Ｂは、接着、溶接、機械的固定（例えば、ナット及びボルト）などを介して座部フレーム１３１に取り付けることができる。
【００７５】
座部取り付けレール１７２Ｂは、側方開口部、リブ係合チャネル、及び複数の側方取り付け孔を含むことができる。例えば、図５Ａに示すように、座部取り付けレール１７２Ｂは、側方開口部１７６Ｂ（例えば、遠位及び近位の側方開口部）、リブ係合チャネル１７５Ｂ、及び側方取り付け孔１７４Ｂを含むことができる。側方開口部１７６Ｂは、座部取り付けレール１７２Ｂの内部及び／又は内側部分にアクセスすることができる開口部を与えることができる。側方開口部１７６Ｂは、座部１３０の座部取り付けレール側方カバー１８６Ｂによってカバーされるように構成することができる。レール側方カバー１８６には、座部フレーム境界の追加の支持を与えるための一体型リブ１９２を設けることができる。リブ係合チャネル１７５Ｂは、座部取り付けレール１７２Ｂの全長に沿って、第１の側方開口部１７６Ｂ（例えば、背もたれ１４０から最も遠い遠位側方開口部）から第２の側方開口部１７６Ｂ（例えば、背もたれ１４０に最も近い近位側方開口部）へと、座部取り付けレール１７２Ｂが取り付けられる座部フレーム１３１の面に平行な線に沿って延在することができる。リブ係合チャネル１７５Ｂは、座部１３０の側方リブ１８５Ｂを支持するように構成することができる。複数の側方取り付け孔１７４Ｂは、リブ係合チャネル１７５Ｂ上に位置決めすることができる。側方取り付け孔１７４Ｂの各々は、座部１３０の側方取り付けクリップ１８４Ｂを受け入れるように構成することができる。図４Ｂには４つの側方取り付け孔１７４Ｂが示されているが、より少数（例えば、１つ、２つ、又は３つ）又はより多数（５つ、６つ、１０個など）の側方取り付け孔１７４Ｂが含まれてもよい。座部フレーム１３１は、座部取り付けレール１７２Ｂのものに対して、座部フレーム１３１の対向する側方部分の対向する内面上に位置決めされる追加の座部取り付けレールをさらに含むことができる。追加の座部取り付けレールは、座部取り付けレール１７２Ｂのものと同様とすることができる。
【００７６】
図５Ｂを参照すると、座部フレーム境界１８３は、座部１３０と座部フレーム１３１との間の係合を補助及び／又は促進するように構成されている様々なタイプの複数の突出部を含むことができる。特に、座部フレーム境界１８３は、前方取り付けクリップ１８７Ｂと、運搬ハンドル側方カバー１８８Ｂと、座部フレーム・コーナ係合面１８９Ｂと、座部取り付けレール側方カバー１８６Ｂと、側方取り付けクリップ１８４Ｂと、側方リブ１８５Ｂとを含むことができる。そのような突出部の各々は、座部１３０の左側に位置決めすることができ、座部１３０が座部フレーム１３１と係合されている状態において、前脚１１２Ｂ、アーム・レスト１５０Ｂなどに近接することができる。さらに、座部１３０は、座部１３０の右側に、前方取り付けクリップと、運搬ハンドル側方カバーと、座部フレーム・コーナ係合面と、座部取り付けレール側方カバーと、側方取り付けクリップと、側方リブとをさらに含むことができる。そのような突出部は、座部１３０の左側にあるもの（例えば、前方取り付けクリップ１８７Ｂ、運搬ハンドル側方カバー１８８Ｂ、座部フレーム・コーナ係合面１８９Ｂなど）と同様とすることができるが、向きは座部１３０の右側に映されたものになっている。そのため、座部１３０が座部フレーム１３１と係合されている状態において、座部１３０の右側にあるそのような突出部は、前脚１１２Ａ、アーム・レスト１５０Ａなどに近接することができる。
【００７７】
座部１３０は、座部フレーム１３１に取り外し可能に取り付け及び／又は係合するように構成することができる。取り外し可能取り付け及び／又は係合の形成において、座部１３０の座部フレーム境界１８３の様々な突出部は、前方ハンドル１７２及び座部取り付けレール１７２Ｂの特定の態様に取り外し可能に接続及び／又はインターフェースするように構成することができる。例えば、座部フレーム境界１８３の前方取り付けクリップ１８７Ｂ及び側方取り付けクリップ１８４Ｂはそれぞれ、運搬ハンドル１７２の前方取り付け孔１７７Ｂ、及び、座部フレーム１３１の座部取り付けレール１７２Ｂの側方取り付け孔１７４Ｂに取り外し可能に接続及び／又はインターフェースするように構成することができる。さらに、座部１３０の座部フレーム境界１８３の運搬ハンドル側方カバー１８８Ｂ及び座部取り付けレール側方カバー１８６Ｂはそれぞれ、運搬ハンドル１７２の側方開口部１７８Ｂ、及び、座部フレーム１３１の座部取り付けレール１７２Ｂの側方開口部１７６Ｂに取り外し可能にインターフェースするように構成することができる。加えて、座部１３０の座部フレーム境界１８３の座部フレーム・コーナ係合面１８９Ｂ及び側方リブ１８５Ｂはそれぞれ、座部フレーム１３１の座部フレーム・コーナ１７９Ｂ及び座部取り付けレール１７２Ｂのリブ係合チャネル１７５Ｂに取り外し可能にインターフェースするように構成することができる。前述の接続及び／又はインターフェースは、椅子１００の左側で行われ得る。座部１３０が座部フレーム１３１に取り外し可能に取り付け及び／又は係合されている状態において、そのような接続及び／又はインターフェースは、前脚１１２Ｂ、アーム・レスト１５０Ｂなどに近接することができる。
【００７８】
同様に、座部１３０の座部フレーム境界１８３の右側にある前方取り付けクリップ、運搬ハンドル側方カバー、座部フレーム・コーナ係合面、座部取り付けレール側方カバー、側方取り付けクリップ、及び側方リブは、上述したように、運搬ハンドル１７２の右側にある前方座部取り付け孔及び側方開口部、座部フレーム１３１の右側にある座部フレーム・コーナ、並びに、座部フレーム１３１の右側にある座部取り付けレールの側方開口部、リブ係合チャネル、及び複数の側方取り付け孔に取り外し可能に接続及び／又はインターフェースするように構成することができる。
【００７９】
図５Ｄをより詳細に参照すると、側方取り付けクリップ１８４Ｂは、座部１３０と座部フレーム１３１との間の取り外し可能な取り付けの形成中に、側方取り付け孔１７４Ｂを通じて挿入されるように構成することができる。側方取り付けクリップ１８４Ｂは、半矢形状の遠位端を有する延伸した矩形構造を有することができ、これによって、挿入及び取り外し中の回転柔軟性、並びに、係合中の垂直方向の力分布を可能にすることができる。例えば、側方取り付け孔１７４Ｂへの挿入中に、側方取り付けクリップ１８４Ｂの半矢終端部の外面に回転力を加えることができる。回転力に応答して、側方取り付けクリップ１８４Ｂは、回転可能に変位し、側方取り付けクリップ１８４Ｂを側方取り付け孔１７４Ｂに挿入することを可能にするように構成することができる。挿入が完了し、回転力が除去された後、側方取り付けクリップ１８４Ｂは、静止位置に戻るように構成することができ、側方取り付けクリップ１８４Ｂの半矢部分の上面及び／又は張り出し面は、座部取り付けレール１７２Ｂのリブ係合チャネル１７５Ｂの最下面とインターフェースするように構成することができる。側方取り付けクリップ１８４Ｂによって与えられるそのようなインターフェースは、他の側方及び前方取り付けクリップと組み合わせて、座部１３０の座部１３１の取り外し可能な取り付けを可能にすることができる。
【００８０】
側方リブ１８５Ａ、１８５Ｂは、負荷担持リブとすることができ、座部取り付けレール１７２Ａ、１７２Ｂのリブ係合チャネル１７５Ａ、１７５Ｂとインターフェースするように構成することができる。側方リブ１８５Ａ、１８５Ｂは、座部フレーム境界１８３の右側及び左側の底面から延伸することができ、一連のフランジ１９１は、座部フレーム境界１８３の各側に位置することができる。一連のフランジ１９１は、座部フレーム境界１８３の底面に垂直に延伸することができる。一連のフランジ１９１及び座部フレーム境界１８３の底面は、座部が負荷をかけられるときに側方リブがねじれるのを防止することができる。そのため、側方リブ１８５Ａ、１８５Ｂ及びフランジ１９１は、座部１３０及び座部フレーム１３１が取り付け状態又は分離状態のいずれかにあるときに、使用中の側方取り付けクリップ１８４Ａ、１８４Ｂ及び他の側方取り付けクリップからの構造的負荷を軽減することができ、また、座部１３０が座部フレーム１３１に取り付けられている状態において側方取り付けねじ接合部側方取り付けクリップ１８４Ａ、１８４Ｂによって与えられる力に対して相補的な力を与えることもできる。側方リブ１８５の数は、椅子の所望の閾値負荷、各側方リブの厚さ、及び椅子の重量配分に基づいて選択することができる。加えて、側方リブを、取り付けレール１７５Ａ、１７５Ｂのチャネルの長さにわたって延在する一体的に延伸するリブから形成することができることも企図される。
【００８１】
上述したように、座部１３０は、座部フレーム境界１８３及びそこに形成されている複数の突出部によって、座部フレーム１３１の側方取り付けレール及び運搬ハンドル１７２と係合するように構成することができる。特に、座部フレーム境界１８３は、座部フレーム境界１８３の第１の端部（例えば、前方部分）を座部フレーム１３１の第１の端部（例えば、前方部分）内に配置し、座部フレーム境界１８３を座部フレーム１３１の第１の端部から座部フレーム１３１の第２の端部（例えば、後方部分）へと回転及び／又は屈曲させることによって、座部フレーム１３１に固定することができる。座部フレーム境界１８３の座部フレーム１３１の第１の端部から第２の端部への回転及び／又は屈曲によって、座部フレーム境界１８３の複数の突出部が、座部取り付けレール内の複数のスロットと位置整合され、座部フレーム境界１８３が座部フレーム１３１上に取り外し可能に取り付けられ得る。
【００８２】
代替的に、座部フレーム境界１８３は、座部フレーム境界１８３の左側にある最後方の側方取り付けクリップ１８６Ｂを、左側方取り付けレール１７２Ｂの最後方の側方取り付け孔１７６Ｂに挿入し、座部フレーム境界１８３の右側にある最後方の側方取り付けクリップを、右側方取り付けレールの最後方の側方取り付け孔に挿入することによって、座部フレーム１３１に固定されてもよい。次に、座部フレーム境界１８３の左側にある第１の中央側方取り付けクリップ１８６Ｂ及び第２の中央側方取り付けクリップ１８６Ｂを、左側方取り付けレール１７２Ｂの第１の中央側方取り付け孔１７６Ｂ及び第２の中央側方取り付け孔１７６Ｂに挿入することができ、座部フレーム境界１８３の右側にある第１の中央側方取り付けクリップ及び第２の中央側方取り付けクリップを、右側方取り付けレールの第１の中央側方取り付け孔及び第２の中央側方取り付け孔に挿入することができる。その後、座部フレーム境界１８３の左側にある最前方の側方取り付けクリップ１８６Ｂを、左側方取り付けレール１７６Ｂの最前方の側方取り付け孔１７６Ｂに挿入することができ、座部フレーム境界１８３の右側にある最前方の側方取り付けクリップを、右側方取り付けレールの最前方の側方取り付け孔に挿入することができる。次いで、座部１３０を、座部フレーム境界１８３によって、座部１３０の前方部分において回転及び／又は屈曲させて、座部フレーム境界１８３の左側にある前方取り付けクリップ１８７Ｂを、運搬ハンドル１７２の左端部分上の前方取り付け孔１７７Ｂと位置整合させることができ、座部フレーム境界１８３の右側にある前方取り付けクリップを、運搬ハンドル１８３の右端部分上の前方取り付け孔と位置整合させることができる。次に、座部フレーム境界１８３の左側にある前方取り付けクリップ１８７Ｂを、運搬ハンドル１７２の左端部分上の前方取り付け孔１７７Ｂに挿入することができ、座部フレーム境界１８３の右側にある前方取り付けクリップを、運搬ハンドル１７２の右端部分上の前方取り付け孔に挿入することができる。
【００８３】
座部フレーム境界１８３の座部フレーム１３１との組み立て中、座部フレーム境界１８３は、後端から前端へと回転させることができる。そのようなステップは、後方から前方へと特定の順序において説明されているが、これらのステップはそのような順序において実施される必要はなく、任意の特定の順序において実施されてもよい。
【００８４】
背もたれ及び背もたれフレーム
座部１３０とともに、携帯用椅子１００は、背もたれフレーム１４１に取り外し可能に取り付けることができる背もたれ１４０を含むことができる。背もたれフレーム１４１は、円筒形の棒、管、シャフト、及び／又は押し出しＩビームであってもよく、アルミニウム、チタン、ステンレス鋼、スカンジウム、金属合金、炭素繊維、及び／又は竹から作製されてもよい。背もたれフレーム１４１の作製にアルミニウム、チタン、ステンレス鋼、スカンジウム、及び／又は金属合金が使用される場合、材料は、ハイドロフォーム及び真空鋳造することができ、塩水噴霧などの環境条件によって誘発される腐食を防止するために、陽極酸化処理、めっき、塗装、粉体塗装、及び／又はエナメルの被着を通じて処理することができる。加えて、背もたれフレーム１４１の作製に使用される金属は、硬度、堅牢性、並びに引張強度及びせん断強度を増大させるために、アニーリング、表面焼き入れ、析出強化、焼き戻し、焼きならし、及び／又は焼き入れを通じて処理することができる。
【００８５】
背もたれフレーム１４１は、ピン１５７Ｂを含むピンによる背もたれフレーム１４１のアーム・レスト１５０Ａ及び１５０Ｂへの回転可能な取り付けを促進するように構成することができるアーム・レスト取り付け部分を含むことができる。加えて、背もたれフレーム１４１は、背もたれ造作接合部１４３Ａ及び１４３Ｂと交差することができる。特に、背もたれ造作接合部１４３Ａ及び１４３Ｂは、背もたれフレーム１４１を挿入するように構成することができる管状末端部を含むことができる。挿入前、挿入中、又は挿入後に、結合剤及び／又は構造用接着剤を背もたれ造作接合部１４３Ａ及び１４３Ｂの管状末端部及び／又は背もたれフレーム１４１の終端部に被着させて、背もたれフレーム１４１を背もたれ造作接合部１４３Ａ及び１４３Ｂに固定することができる。
【００８６】
座部フレーム１３１に関して上述したものと同様に、背もたれフレーム１４１は、運搬ハンドル及び１つ又は複数の背もたれ取り付けレールを含むことができる。例えば、図６Ｂに示すように、運搬ハンドル２７２は、運搬ハンドル２７２の第１の側（例えば、運搬ハンドル２７２の左側）にある上部取り付け孔２７７Ｂと、運搬ハンドル２７２の第２の側（例えば、運搬ハンドル１７２の右側）にある上部取り付け孔２７７Ａと、運搬ハンドル２７２の第３の側（例えば、運搬ハンドル２７２の中央）にある上部取り付け孔２７７と含むことができる。下記にさらに詳細に説明するように、上部取り付け孔２７７、２７７Ａ、及び２７７Ｂはそれぞれ、背もたれ１４０の上部取り付けクリップ２８７、２８７Ａ、及び２８７Ｂと係合するように構成することができる。
【００８７】
さらに、背もたれフレーム１４１はまた、背もたれ取り付けレール２７２Ｂも含むことができる。背もたれ取り付けレール２７２Ｂは、アーム・レスト１５０Ｂ、前脚１１２Ｂなどに近接する背もたれフレーム１４１の側部の内面上に位置決めすることができる。背もたれ取り付けレール２７２Ｂは、背もたれフレーム１４１のものと同じ材料（例えば、アルミニウム、チタン、ステンレス鋼、スカンジウム、金属合金、炭素繊維、及び／又は竹）から作製されてもよい。そのため、背もたれ取り付けレール２７２Ｂは、背もたれフレーム１４１の連続片として製造することができる。したがって、背もたれフレーム１４１及び背もたれ取り付けレール２７２Ｂの作製にアルミニウム、チタン、ステンレス鋼、スカンジウム、及び／又は金属合金が使用される場合、材料は、ハイドロフォーム及び真空鋳造して背もたれフレーム１４１及び背もたれ取り付けレール２７２Ｂにすることができ、塩水噴霧などの環境条件によって誘発される腐食を防止するために、陽極酸化処理、めっき、塗装、粉体塗装、及び／又はエナメルの被着を通じて処理することができる。加えて、背もたれフレーム１４１及び背もたれ取り付けレール２７２Ｂの作製に使用される金属は、硬度、堅牢性、並びに引張強度及びせん断強度を増大させるために、アニーリング、表面焼き入れ、析出強化、焼き戻し、焼きならし、及び／又は焼き入れを通じて処理することができる。
【００８８】
代替的に、背もたれ取り付けレール２７２Ｂは、背もたれフレーム１４１と連続片を形成しなくてもよく、そのため、別個の構成要素であってもよい。そのような場合、背もたれ取り付けレール２７２Ｂは、背もたれフレーム１４１のものと同じ材料から作製されてもよく、又は、異なる材料から作製されてもよい。いずれにせよ、背もたれ取り付けレール２７２Ｂは、接着、溶接、機械的固定（例えば、ナット及びボルト）などを介して背もたれフレーム１４１に取り付けることができる。
【００８９】
背もたれ取り付けレール２７２Ｂは、リブ係合チャネル及び複数の側方取り付け孔を含むことができる。例えば、図６Ｂに示すように、背もたれ取り付けレール２７２Ｂは、リブ係合チャネル２７５Ｂ及び側方取り付け孔２７４Ｂを含むことができる。リブ係合チャネル２７５Ｂは、背もたれ取り付けレール２７２Ｂの全長に沿って延在することができる。リブ係合チャネル２７５Ｂは、背もたれ１４０の側方リブ２８５Ｂ及びフランジ２９１Ｂを支持するように構成することができる。複数の側方取り付け孔２７４Ｂは、リブ係合チャネル２７５Ｂ上に位置決めすることができる。側方取り付け孔２７４Ｂの各々は、背もたれ１４０の側方取り付けねじ接合部２８４Ｂを受け入れるように構成することができる。図６Ｂには５つの側方取り付け孔２７４Ｂが示されているが、より少数（例えば、１つ、２つ、３つ、又は４つ）又はより多数（６つ、１０個など）の側方取り付け孔２７４Ｂが含まれてもよい。
【００９０】
背もたれフレーム１４１はまた、背もたれ取り付けレール２７２Ａも含むことができる。背もたれ取り付けレール２７２Ａは、アーム・レスト１５０Ａ、前脚１１２Ａなどに近接する背もたれフレーム１４１の側部の内面上に位置決めすることができる。背もたれ取り付けレール２７２Ａは、背もたれフレーム１４１のものと同じ材料（例えば、アルミニウム、チタン、ステンレス鋼、スカンジウム、金属合金、炭素繊維、及び／又は竹）から作製されてもよい。そのため、背もたれ取り付けレール２７２Ａは、背もたれフレーム１４１の連続片として製造することができる。したがって、背もたれフレーム１４１及び背もたれ取り付けレール２７２Ａの作製にアルミニウム、チタン、ステンレス鋼、スカンジウム、及び／又は金属合金が使用される場合、材料は、ハイドロフォーム及び真空鋳造して背もたれフレーム１４１及び背もたれ取り付けレール２７２Ａにすることができ、塩水噴霧などの環境条件によって誘発される腐食を防止するために、陽極酸化処理、めっき、塗装、粉体塗装、及び／又はエナメルの被着を通じて処理することができる。加えて、背もたれフレーム１４１及び背もたれ取り付けレール２７２Ａの作製に使用される金属は、硬度、堅牢性、並びに引張強度及びせん断強度を増大させるために、アニーリング、表面焼き入れ、析出強化、焼き戻し、焼きならし、及び／又は焼き入れを通じて処理することができる。
【００９１】
代替的に、背もたれ取り付けレール２７２Ａは、背もたれフレーム１４１と連続片を形成しなくてもよく、そのため、別個の構成要素であってもよい。そのような場合、背もたれ取り付けレール２７２Ａは、背もたれフレーム１４１のものと同じ材料から作製されてもよく、又は、異なる材料から作製されてもよい。いずれにせよ、背もたれ取り付けレール２７２Ａは、接着、溶接、機械的固定（例えば、ナット及びボルト）などを介して背もたれフレーム１４１に取り付けることができる。
【００９２】
背もたれ取り付けレール２７２Ａは、リブ係合チャネル及び複数の側方取り付け孔を含むことができる。例えば、図６Ｂに示すように、背もたれ取り付けレール２７２Ａは、リブ係合チャネル２７５Ａ及び側方取り付け孔２７４Ａを含むことができる。リブ係合チャネル２７５Ａは、背もたれ取り付けレール２７２Ａの全長に沿って延在することができる。リブ係合チャネル２７５Ａは、背もたれ１４０の側方リブ２８５Ａ及びフランジ２９１Ａを支持するように構成することができる。複数の側方取り付け孔２７４Ａは、リブ係合チャネル２７５Ａ上に位置決めすることができる。側方取り付け孔２７４Ａの各々は、背もたれ１４０の側方取り付けねじ接合部２８４Ａを受け入れるように構成することができる。図６Ｂには５つの側方取り付け孔２７４Ａが示されているが、より少数（例えば、１つ、２つ、３つ、又は４つ）又はより多数（６つ、１０個など）の側方取り付け孔２７４Ａが含まれてもよい。
【００９３】
図６Ａを参照すると、背もたれ１４０は、限定ではないが、強化織布、帆布、オーニング生地、ケブラー、防水キャンバス、ビニル被覆ポリエステル、ナイロン・メッシュ、ネオプレン、アルミめっきナイロン、及び／又は綿キャンバスを含む複数の材料のいずれかから構成されてもよい。いくつかの実施例において、材料は、ＵＶ安定性及び耐候性、耐火性、摩耗及び引き裂き体制、及び耐水性を増大させることを可能にするように処理することができる。
【００９４】
特定の事例において、背もたれ１４０は座部１３０のものと同様の材料から構成されてもよい。しかしながら、場合によっては、背もたれ１４０の製造に使用される材料は、座部１３０の製造に使用されるものとは異なってもよい。例えば、背もたれ１４０は、第１の材料及び／又は材料の組み合わせから作製されてもよく、座部１３０は、第１の材料及び／又は材料の組み合わせとは異なる第２の材料及び／又は材料の組み合わせから作製されてもよい。
【００９５】
背もたれ１４０の作製に使用される材料は、高透過性織物タイプ及び／又はメッシュ状構造に製造することができ、そのため、負荷容量及びユーザ快適性を増大させることを可能にすることができる。背もたれ１４０の織物タイプ及び／又はメッシュ状生地構造の周縁は、剛性熱可塑性オーバーモールドであってもよい背もたれフレーム境界１９３とインターフェースするように構成することができる。背もたれ１４０と背もたれフレーム境界１９３との間の接合部の形成において、背もたれフレーム境界１９３は、局所射出成型の方法を通じて背もたれ１４０にオーバーモールドすることができる。この工程は、背もたれ１４０の周縁に沿った生地織りを通じて熱可塑性特徴部（例えば、背もたれフレーム境界１９３及びその中に含まれる構成要素）を形成することができる。局所射出成型の方法が完了した後、背もたれ１４０の織物タイプ及び／又はメッシュ状生地構造を緊張させることができ、背もたれフレーム境界１９３を背もたれ１４０に剛直に取り付けることができる。そのような取り付け方法は、座部生地における縫製をなくすことができ、延長線上で考えると、再現性、耐久性、寸法正確性、フレーム取り付け柔軟性、及び、美観の向上を含む利点をもたらすことができる。
【００９６】
背もたれフレーム境界１９３は、背もたれ１４０と背もたれフレーム１４１との間の係合を補助及び／又は促進するように構成されている様々なタイプの複数の突出部を含むことができる。特に、背もたれフレーム境界１９３は、上部取り付けクリップ２８７、２８７Ａ、及び２８７Ｂと、背もたれフレーム・コーナ係合面２８９Ａ及び２８９Ｂと、側方取り付けねじ接合部２８４Ａ及び２８４Ｂと、側方リブ２８５Ａ及び２８５Ｂと、フランジ２９１Ａ及び２９１Ｂとを含むことができる。
【００９７】
背もたれ１４０は、座部フレーム１４１に取り外し可能に取り付け及び／又は係合するように構成することができる。取り外し可能取り付け及び／又は係合の形成において、背もたれ１４０の背もたれフレーム境界１９３の様々な突出部は、上部ハンドル２７２並びに背もたれ取り付けレール２７２Ａ及び２７２Ｂの特定の態様に取り外し可能に接続、挿入、及び／又はインターフェースするように構成することができる。例えば、フレーム境界１９３にある背もたれの上部取り付けクリップ２８７、２８７Ａ、及び２８７Ｂ、並びに、側方取り付けねじ接合部２８４Ａ及び２８４Ｂはそれぞれ、運搬ハンドル２７２の上部取り付け孔２７７、２７７Ａ、及び２７７Ｂ、並びに、背もたれ取り付けレール２７２Ａ及び２７２Ｂの側方取り付け孔２７４Ａ及び２７４Ｂに取り外し可能に接続、挿入、及び／又はインターフェースするように構成することができる。加えて、背もたれ１４０の背もたれフレーム境界２８３の背もたれフレーム・コーナ係合面２８９Ａ及び２８９Ｂはそれぞれ、背もたれフレーム１４１の背もたれフレーム・コーナ２７９Ａ及び２７９Ｂに取り外し可能にインターフェースするように構成することができる。
【００９８】
さらに、背もたれ１４０の背もたれフレーム境界１９３の側方リブ２８５Ａ及び２８５Ｂ並びにフランジ２９１Ａ及び２９１Ｂは、背もたれ取り付けレール２７２Ａ及び２７２Ｂのリブ係合チャネル２７５Ａ及び２７５Ｂに取り外し可能にインターフェースするように構成することができる。側方リブ２８５Ａ、２８５Ｂは、負荷担持リブとすることができ、背もたれ取り付けレール２７２Ａ、２７２Ｂのリブ係合チャネル２７５Ａ、２７５Ｂとインターフェースするように構成することができる。側方リブ２８５Ａ、２８５Ｂは、背もたれフレーム境界１９３の右側及び左側の底面から延伸することができ、フランジ２９１Ａ、２９１Ｂは、背もたれフレーム境界１９３の各側に位置することができる。一連のフランジ２９１Ａ、２９１Ｂは、背もたれフレーム境界１９３の底面及び側方リブ２７５Ａ、２７５Ｂの外面に垂直に延伸することができる。側方リブ２８５Ａ、２８５Ｂ及び一連のフランジ２９１Ａ、２９１Ｂは、背もたれが負荷をかけられるときに側方リブがねじれるのを防止することができる。そのため、側方リブ２８５Ａ、２８５Ｂ及びフランジ２９１Ａ、２９１Ｂは、背もたれ１４０及び背もたれフレーム１４１が取り付け状態又は分離状態のいずれかにあるときに、側方取り付けねじ接合部２８４Ａ、２８４Ｂからの構造的負荷を軽減することができ、また、背もたれ１４０が背もたれフレーム１４１に取り付けられている状態において側方取り付けねじ接合部２８４Ａ、２８４Ｂによって与えられる力に対して相補的な力を与えることもできる。取り付け状態において、側方リブ２８５Ａ、２８５Ｂは、背もたれ取り付けレール２７２Ａ、２７２Ｂの長さをトラバースすることができ、フランジ２９１Ａ、２９１Ｂは、背もたれ取り付けレール２７２Ａ、２７２Ｂの水平領域に及ぶことができる。フランジ２９１Ａ、２９１Ｂの数は、椅子の所望の閾値負荷、各フランジの厚さ、及び椅子の重量配分に基づいて選択することができる。
【００９９】
図６Ｃを参照すると、側方取り付けねじ接合部２８４Ａは、背もたれ１４０と背もたれフレーム１４１との間の取り外し可能な取り付けの形成中に、側方取り付け孔２７４Ａを通じて挿入されるように構成することができる。側方取り付けねじ接合部２８４Ａは、背もたれ１４０を背もたれフレーム１４１に固定するために、ねじ２９４Ａを受け入れるように構成することができる。例えば、側方取り付けねじ接合部２８４Ａは、側方取り付け孔２７４Ａを通じて挿入することができる。ねじアクセス・パネル２９５Ａは、側方取り付けねじ接合部２８４Ａを露出させるために、側方レール２７２Ａから取り外すことができる。ねじアクセス・パネル２９５Ａを取り外した後、ねじ２９４Ａを、側方取り付けねじ接合部２８４Ａに回転可能に挿入することができる。同様に、複数のねじ２９４Ａを、側方取り付けねじ接合部２８４Ａの各々に回転可能に挿入することができる。ねじ２９４Ａの各々が側方取り付けねじ接合部２８４Ａに挿入された後、ねじアクセス・パネル２９５Ａを側方取り付けレール２７２Ａに再び取り付けることができる。側方取り付けねじ接合部２８４Ｂ、側方取り付け孔２７８Ｂ、ねじアクセス・パネル２９５Ｂ、及びねじ２９５Ｂについて、同様の工程を実施することができる。
【０１００】
上述したように、背もたれ１４０は、背もたれフレーム境界１９３及びそこに形成されている複数の突出部によって、背もたれフレーム１４１の側方取り付けレール２７２Ａ及び２７２Ｂ並びに運搬ハンドル２７２と係合するように構成することができる。場合によっては、背もたれフレーム境界１８３は、背もたれフレーム境界１９３の第１の端部（例えば、上部）を背もたれフレーム１４１の第１の端部（例えば、上部）内に配置し、背もたれフレーム境界１９３を背もたれフレーム１４１の第１の端部から背もたれフレーム１４１の第２の端部（例えば、下部）へと回転及び／又は屈曲させることによって、背もたれフレーム１４１に固定することができる。背もたれフレーム境界１９３の背もたれフレーム１４１の第１の端部から第２の端部への回転及び／又は屈曲によって、背もたれフレーム境界１９３の複数の突出部が、背もたれ取り付けレール内の複数のスロットと位置整合され、背もたれフレーム境界１９３が背もたれフレーム１４１上に取り外し可能に取り付けられ得る。
【０１０１】
代替的に、背もたれフレーム境界１９３は、背もたれフレーム境界１９３の左側にある最下部の側方取り付けねじ接合部２８４Ｂを、左側方取り付けレール２７２Ｂの最下部の側方取り付け孔２７４Ｂに挿入し、背もたれフレーム境界１９３の右側にある最下部の側方取り付けねじ接合部２８４Ａを、右側方取り付けレール２７２Ａの最下部の側方取り付け孔２７４Ａに挿入することによって、背もたれフレーム１４１に固定されてもよい。次に、背もたれフレーム境界１９３の左側にある第１、第２の、及び第３の中央側方取り付けねじ接合部２８４Ｂを、左側方取り付けレール２７２Ｂの第１、第２、及び第３の中央側方取り付け孔２７４Ｂに挿入することができる。同様に、背もたれフレーム境界１９３の右側にある第１、第２の、及び第３の中央側方取り付けねじ接合部２８４Ａを、右側方取り付けレール２７２Ａの第１、第２、及び第３の中央側方取り付け孔２７４Ａに挿入することができる。その後、背もたれフレーム境界１９３の左側にある最上部の側方取り付けねじ接合部２８４Ｂを、左側方取り付けレール２７２Ｂの最上部の側方取り付け孔２７４Ｂに挿入することができ、背もたれフレーム境界１９３の右側にある最上部の側方取り付けねじ接合部２８４Ａを、右側方取り付けレール２７２Ａの最上部の側方取り付け孔２７４Ａに挿入することができる。次いで、背もたれ１４０を、背もたれフレーム境界１９３によって、背もたれ１４０の上部において後ろ向きの方向に回転及び／又は屈曲させて、背もたれフレーム境界１９３の上部取り付けクリップ２８７、２８７Ａ、及び２８７Ｂを、運搬ハンドル２７２の上部取り付け孔２７７、２７７Ａ、及び２７７Ｂと位置整合させ、挿入することができ、背もたれフレーム境界１９３の右側にある上部取り付けクリップを、運搬ハンドル２７２の右端部分上の上部取り付け孔と位置整合させ、挿入することができる。次に、ねじアクセス・パネル２９５Ａ及び２９５Ｂを、側方取り付けレール２７２Ａ及び２７２Ｂから取り外すことができ、ねじ２９４Ａ及び２９４Ｂの各々を、それぞれの側方取り付けねじ接合部２８４Ａ及び２８４Ｂに螺入することができる。挿入後、ねじアクセス・パネル２９５Ａ及び２９５Ｂを側方取り付けレール２７２Ａ及び２７２Ｂに再び取り付けることができる。
【０１０２】
場合によっては、背もたれフレーム境界１９３は、背もたれ取り付けねじ接合部２８４Ａとは反対に、座部フレーム境界１８３に関して上述したように、複数の背もたれ取り付けクリップを有することができる。そのような場合、側方取り付けクリップは、背もたれ１４０と背もたれフレーム１４１との間の取り外し可能な取り付けの形成中に、側方取り付け孔２７４Ｂを通じて挿入されるように構成することができる。側方取り付けクリップは、半矢形状の遠位端を有する延伸した矩形構造を有することができ、これによって、挿入及び取り外し中の回転柔軟性、並びに、係合中の垂直方向の力分布を可能にすることができる。例えば、側方取り付け孔２７４Ｂへの挿入中に、側方取り付けクリップの半矢終端部の外面に回転力を加えることができる。回転力に応答して、側方取り付けクリップは、回転可能に変位し、側方取り付けクリップを側方取り付け孔２７４Ｂに挿入することを可能にするように構成することができる。挿入が完了し、回転力が除去された後、側方取り付けクリップは、静止位置に戻るように構成することができ、側方取り付けクリップの半矢部分の上面及び／又は張り出し面は、背もたれ取り付けレール２７２Ｂのリブ係合チャネル２７５Ｂの最下面とインターフェースするように構成することができる。側方取り付けクリップによって与えられるそのようなインターフェースは、他の側方及び上部取り付けクリップと組み合わせて、背もたれ１４０の背もたれ１４１への取り外し可能な取り付けを可能にすることができる。
【０１０３】
いずれにせよ、背もたれフレーム境界１９３の背もたれフレーム１４１への組み立て中、背もたれフレーム境界１９３は、下端から上端へと回転させることができる。そのようなステップは、下部から上部へと特定の順序において説明されているが、これらのステップはそのような順序において実施される必要はなく、任意の特定の順序において実施されてもよい。さらに、背もたれ１４０が背もたれフレーム１４１に取り付けられている状態において、図６Ｃに示すように、背もたれフレーム境界１９３は、背もたれフレーム１４１の外側部分とインターフェースすることができる。場合によっては、背もたれフレーム境界１９３は、上述した射出成型工程の後、背もたれフレーム境界と背もたれフレームとの接合部の美観的制御を可能にするために、機械加工されてもよい。
【０１０４】
アーム・レスト
図１に戻って参照すると、携帯用椅子１００はまた、アーム・レスト１５０Ａ及び１５０Ｂも含むことができる。アーム・レスト１５０Ａ及び１５０Ｂは、ピン１５７Ｂを含む１つ又は複数のピンを介して、背もたれフレーム１４１のアーム・レスト取り付け部分に旋回可能に取り付けることができる。アーム・レスト１５０Ａ及び１５０Ｂはそれぞれ、ピン１２８Ａを介して造作接合部１１６Ａ及び後方造作接合部１２６Ａに取り付けられ、ピン１２８Ｂを介して前方造作接合部１１６Ｂ及び後方造作接合部１２６Ｂに取り付けられるようにさらに構成することができる。
【０１０５】
アーム・レスト１５０Ａ及び１５０Ｂは、プラスチック、ゴム、金属、炭素繊維などから作製することができ、１つの実例において、最大２２６７９６ｋｇ（５００ｌｂ）をサポートするように構成することができる。場合によっては、アーム・レスト１５０Ａ及び１５０Ｂは、携帯用椅子１００の水没の防止において浮力補助の役割を果たすことができる。同様に、１つの実例において、アーム・レスト１５０Ａ及び１５０Ｂは、アーム・レストの内部に中空空洞を作製するために、ガス・アシスト射出成型工程を通じて作製することができる。そのような中空空洞は、椅子１００の浮力補助の役割を果たすことができる。
【０１０６】
折り畳み性
図７Ａを参照すると、携帯用椅子１００は、折り畳み可能な携帯用椅子とすることができる。回転可能で旋回可能な接合部を作動させることによって、携帯用椅子１００は、携帯可能な構成に折り畳み、着座構成に展開することが可能であり得る。折り畳み携帯可能構成にある間、椅子１００は、１つ又は複数の戻り止めによって折り畳み携帯可能構成にロック及び／又は維持することができる。１つ又は複数の戻り止めは、椅子１００の、折り畳み携帯可能構成から展開着座構成への開放に対する抵抗を与えることができる。展開着座構成にある間、１つ又は複数の戻り止めは、さらに、椅子１００の、展開着座構成から折り畳み携帯可能構成への閉鎖に対する抵抗を与えることができる。
【０１０７】
さらなる実例について、椅子１００は、折り畳み携帯可能構成から展開着座構成へと開くように構成することができる。折り畳み携帯可能構成において、前脚１１２Ａ及び１１２Ｂは、後脚１２２Ａ及び１２２Ｂに実質的に平行であり得、座部１３０は、背もたれ１４０に実質的に平行であり得る。１つ又は複数の戻り止めは、座部フレーム１３１の座部造作接合部１３３Ａ及び１３３Ｂの間の取り付け接合部に含めることができる。付加的に、及び／又は代替的に、１つ又は複数の戻り止めは、ピン１７１Ａ及び１７１Ｂを介して前脚取り付け部分１７０Ａ及び１７０Ｂ並びに前脚１１２Ａ及び１１２Ｂの間の取り付け接合部に含めることができる。
【０１０８】
１つ又は複数の戻り止めは、前脚１１２Ａ及び１１２Ｂ並びに座部１３０の、後脚１２２Ａ及び１２２Ｂ並びに背もたれ１４０から外方への開放変位に対する抵抗を与えることができ、そのため、椅子を折り畳み携帯可能構成にロック及び／又は保持するように機能することができる。抵抗に加えて、１つ又は複数の戻り止めはまた、椅子１００を折り畳み携帯可能構成から展開着座構成へと開く試行が為されるときに、椅子１００がロック位置にあることを示す意図的な可聴フィードバックを椅子１００のユーザに与えることもできる。
【０１０９】
折り畳み携帯可能構成にある間、１つ又は複数の戻り止めによって与えられるロック力及び／又は抵抗よりも大きい開放力が椅子１００に加えられると、椅子１００は開放可能になることができ、前脚１１２Ａ及び１１２Ｂ並びに座部１３０は、後脚１２２Ａ及び１２２Ｂ並びに背もたれ１４０から回転可能に変位することができる。そのような点において、椅子１００は、折り畳み携帯可能構成と展開着座構成との間のロック解除及び遷移状態にあることができる。引き続き開放力が加えられると、椅子１００は、最大開放変位を達成し、展開着座構成に達することができる。展開着座構成において、前脚１１２Ａ及び１１２Ｂ並び座部１３０は、後脚１２２Ａ及び１２２Ｂ並びに背もたれ１４０に対して角度を付けられ得る。
【０１１０】
付加的に、ピン１７１Ａ及び１７１Ｂを介して前脚取り付け部分１７０Ａ及び１７０Ｂ並びに前脚１１２Ａ及び１１２Ｂの間の取り付け接合部に含まれる１つ又は複数の戻り止めは、前脚１１２Ａ及び１１２Ｂ並びに座部１３０の、後脚１２２Ａ及び１２２Ｂ並びに背もたれ１４０に向かう閉鎖変位に対する抵抗を与えることができる。そのため、１つ又は複数の戻り止めは、椅子１００を展開着座構成にロック及び／又は保持するように機能することができる。折り畳み携帯可能構成抵抗に加えて、１つ又は複数の戻り止めはまた、椅子１００を展開着座構成から折り畳み携帯可能構成へと閉じる試行が為されるときに、椅子１００がロック位置にあることを示す意図的な可聴フィードバックを椅子１００のユーザに与えることもできる。展開着座構成にある間、１つ又は複数の戻り止めによって与えられるロック力及び／又は抵抗よりも大きい閉鎖力が椅子１００に加えられると、椅子１００は閉鎖可能になることができ、前脚１１２Ａ及び１１２Ｂ並びに座部１３０は、後脚１２２Ａ及び１２２Ｂ並びに背もたれ１４０に向かって回転可能に変位することができる。
【０１１１】
カップ・ホルダ
図８〜図２１は、携帯用椅子１００に取り付けることができる例示的なカップ・ホルダ・アセンブリ３００の実施例を示す。カップ・ホルダ・アセンブリ３００は、カップ・ホルダ３１０と、カラー３４０と、クランプ部材３６０とを備えることができる。カップ・ホルダ３１０は、クランプ部材３６０と回転可能に係合することができ、結果、カップ・ホルダ３１０は、クランプ部材３６０に対して回転することができる。クランプ部材３６０は、図９Ａ及び図９Ｂに示すように椅子１００の前脚１１２Ａ及び１１２Ｂのいずれかと解放可能に係合することができる。例えば、カップ・ホルダ・アセンブリ３００は、座部フレーム１３１の前脚取り付け部分１７０Ａとの交差部に近接して前脚１１２Ａに取り付けることができ、又は、代替的に、カップ・ホルダ・アセンブリ３００は、座部フレーム１３１の前脚取り付け部分１７０Ｂとの交差部に近接して前脚１１２Ｂに取り付けることができる。カップ・ホルダ・アセンブリ３００は、典型的には、外側位置、又は、ユーザがアクセス可能な位置に向けることができ、結果、カップ・ホルダ３１０は、前脚１１２Ａ、１１２Ｂのプロファイルの外側に位置決めされる。いくつかの実例において、カップ・ホルダ・アセンブリ３００は、前脚１１２Ａ、１１２Ｂのいずれかに剛直に取り付けられてもよく、又は、図示されている例示的な実施例にあるように、カップ・ホルダ・アセンブリ３００は、分離可能に取り付けられてもよい。
【０１１２】
いずれの場合においても（例えば、剛直に取り付けられるか又は分離可能に取り付け可能である）、カップ・ホルダ・アセンブリ３００は、カップ、瓶、魔法瓶、グラス、缶、マグカップ、又は、複数のサイズのうちのいずれかの飲料容器を固定するように構成することができる。例えば、カップ・ホルダ３１０は、２８３．４９５ｇ（１０ｏｚ．）、５６６．９９ｇ（２０ｏｚ．）、８８７．２０６ｇ（３０ｏｚ．）、５１０．２９１ｇ（１８ｏｚ．）、及び７３７．０８８ｇ（２６ｏｚ．）などの種々のサイズのＹＥＴＩ（登録商標）Ｒａｍｂｌｅｒ、３４０．１９４ｇ（１２ｏｚ．）又は４５３．５９２ｇ（１６ｏｚ．）缶のいずれかのＹＥＴＩ（登録商標）Ｃｏｌｓｔｅｒ、ＹＥＴＩ（登録商標）瓶、又はさらにはソロカップを固定することができる。図８Ａ〜図２１に示すカップ・ホルダ３１０の実施例は、断熱を一切組み込まない単一壁構造を有し得る。
【０１１３】
代替的に、カップ・ホルダ３１０は、真空断熱カップ・ホルダ、エーロゲル・カップ・ホルダであってもよく、又は、１つ若しくは複数の真空断熱パネルを含んでもよく、周辺環境よりも低い若しくは高い温度を維持するように構成することができる。カップ・ホルダ３１０は、挿入された飲料容器を冷却し、及び／又は、挿入された飲料容器の温度が周囲を下回る期間を維持し、延長するように構成することができる。付加的に、又は代替的に、カップ・ホルダは、挿入された飲料容器の冷却を補助し、及び／又は、周囲を下回る温度の期間を延長するために、氷パック及び／又は天然氷インサートを受け入れるように構成することができる。
【０１１４】
カップ・ホルダ３１０は、縁部３１２と、内部底面３１３と、縁部３１２と底面３１３との間に位置決めされる実質的に円筒形の壁３１４とを備えることができる。実質的に円筒形の壁３１４は、全高と同じ直径を有する平滑な表面を有することができ、又は、上側階層３１５、下側階層３１６の２つの階層を備える外形を有することができ、図８Ａ〜図８Ｃに示す例示的な実施例のように、上側階層３１５と下側階層３１６との間には、段差又は実質的に水平に接続する壁３１７がある。上側階層３１５は、下側階層３１６の直径よりも大きい直径を有してもよい。カップ・ホルダ３１０の２階層形状は、カップ・ホルダ３１０が異なるサイズの容器を支持及び固定することを可能にすることができる。例えば、図８Ｂに示すように、２８３．４９５ｇ（１０ｏｚ）ＹＥＴＩ（登録商標）Ｒａｍｂｌｅｒ  １５は、カップ・ホルダ３１０の段差又は接続壁３１７上に載置され、一方、図８Ｃにおいて、３４０．１９４ｇ（１２ｏｚ．）缶１７は、カップ・ホルダ３１０の内部底面３１３に接触することができる。カップ・ホルダ３１０は、下記により詳細に説明するように、カラー３４０に解放可能に接続する係合部材３１８を有することができる。係合部材３１８は、カップ・ホルダ３１０に一体的に形成又は成型することができる。
【０１１５】
図９Ａ及び図９Ｂに示すように、カップ・ホルダ・アセンブリ３００のクランプ部材３６０は、座部フレーム１３１の前脚取り付け部分１７０Ａとの交差部に近接して前脚１１２Ａに係合することができ、又は、代替的に、カップ・ホルダ・アセンブリ３００は、座部フレーム１３１の前脚取り付け部分１７０Ｂとの交差部に近接して前脚１１２Ｂに取り付けることができる。図８Ａ、図１０Ａ、及び図１０Ｂに示すように、クランプ部材３６０は、上側表面３６４及び下側表面３６６を有するＣ字状部材３６２を有することができる。上側表面３６４及び下側表面３６６の各々は、ブッシング１７３Ａ又は１７３Ｂのいずれかと係合するための丸形表面を有する部分を有することができる。丸形表面は、ブッシング１７３Ａ及び１７３Ｂの直径と同様の直径を有することができる。ブッシング１７３Ａ、１７３Ｂに係合することによって、カップ・ホルダ・アセンブリ３００は、外側位置、又は、ユーザがアクセス可能な位置にあるときに、支持を増大することができる。
【０１１６】
クランプ部材３６０をカラー３４０に接続するために、係合部材３６８は、第１の端部３７０においてＣ字状部材３６２から延伸することができ、カラー３４０に係合するための第２の端部３７２を有することができる。係合部材３６８は、湾曲部材３６９である部分と、直線部材３７１である部分とを有することができる。付加的に、第１の端部３７０及び第２の端部３７２は、互いに一定の角度に位置決めされてもよい。係合部材３６８の外面は、丸みを帯びた形状を又は部分的に円筒の形状を形成することができる。図１０Ａ及び図１７に示すように、湾曲部材３６９の内側部分は、第１の端部３７０又はＣ字状部材３６２から直線部材３７１へと接続する複数のリブ３７４を有することができる。リブ３７４は、係合部材３６８の長手方向軸３７６の方向に平行に延在することができるが、他の向き及び向きの組み合わせが可能である。複数のリブ３７４は、繰り返される取り付け及び取り外しから与えられる力に耐えるために、クランプ部材３６０の強度を増大させることができる。クランプ部材３６０の外形は、係合部材３６８の長手方向軸３７６を通じて延伸する水平面を中心として対称とすることができる。図１１及び図１２は、携帯用椅子１００が折り畳み構成にあるときに携帯用椅子１００の運搬をより容易にするためのカップ・ホルダ・アセンブリ３００の別の特徴を示す。携帯用椅子１００に取り付けられると、カップ・ホルダ・アセンブリ３００は、図１１に示す、カップ・ホルダ３１０が前脚１１２Ａ、１１２Ｂのプロファイルの外側に位置決めされている外側位置から、図１２に示す、カップ・ホルダ３１０が前脚１１２Ａ、１１２Ｂのプロファイルの内側に位置決めされている内側位置へと回転することができる。カップ・ホルダ・アセンブリ３００は、依然として携帯用椅子１００の前脚１１２Ａ、１１２Ｂのうちの１つに接続されたままで、外側位置から内側位置へと回転することができる。
【０１１７】
図１３Ａ〜図１３Ｃは、携帯用椅子１００が折り畳み構成にあるときに、カップ・ホルダ・アセンブリ３００を外側位置から内側位置へと回転させる方法を示す。図１３Ａに示すように、カップ・ホルダ・アセンブリ３００は、外側位置にある。図１３Ｂに示すような次のステップ中、ユーザは、カップ・ホルダ・アセンブリ３００がそれぞれのブッシング１７３Ａ又は１７３Ｂから外方に取り付けられている前脚１１２Ａ、１１２Ｂのうちの任意の一方に沿ってクランプ部材３６０のＣ字状部材３６２をスライドさせることができる。下側表面３６６がそれぞれのブッシング１７３Ａ又は１７３Ｂの上方に来ると、ユーザはその後、クランプ部材３６０が依然として取り付けられている間に、Ｃ字状部材を前脚１１２Ａ、１１２Ｂの周りで回転させることができる。最後に、図１３Ｃに示すように、ユーザは、カップ・ホルダ３１０が前脚１１２Ａ、１１２Ｂのプロファイルの内側に位置決めされている内側位置へのカップ・ホルダ・アセンブリ３００の回転を完了させる。
【０１１８】
上述したように、カップ・ホルダ・アセンブリ３００は、前脚１１２Ａ、１１２Ｂのいずれかに解放可能に接続することができる。カップ・ホルダ・アセンブリ３００を携帯用椅子１００の一方の側から他方の側に動かすために、カップ・ホルダ３１０は、カップ・ホルダ３１０がユーザにとって適切な飲料保持方向にあることを保証するために図１４Ａ〜図１４Ｃに示すようにクランプ部材３６０に対して回転することができる。少なくとも上記例示的な実施例において、Ｃ字状部材３６２の長手方向軸は、カップ・ホルダ３１０の円筒壁３１４の長手方向軸に対して平行でも垂直でもなく、結果、２つの軸は互いに一定の角度に位置決めされる。カップ・ホルダ３１０をクランプ部材３６０に対して回転させるために、ユーザは、カップ・ホルダ３１０及びカラー３４０をクランプ部材３６０から外向きに引くことができる。カラー３４０及びカップ・ホルダ３１０はその後、それぞれ図１６Ｂ、図１７、及び図１８Ａ〜図１８Ｂに示すカラー３４０及び係合部材３６８上の回転抑制機構３４１、３６７のセットを係合解除するために、係合部材３６８の長手方向軸３７６に沿って所定の距離をスライドすることができる。カップ・ホルダ３１０及びカラー３４０が所定の距離だけ動かされると、カラー３４０とカップ・ホルダ３１０の両方を、椅子１００の対向する側で使用するために所望の位置へと回転させることができる。例えば、図１４Ａ〜図１４Ｃに示すように、カップ・ホルダ３１０は、カラー３４０が図１４Ｃに示すクランプ部材３６０に向かって後方に、図１４Ａに示すその初期位置からスライドされるときに、クランプ部材３６０に対して一定程度だけ回転することができ、又は、回転抑制機構３４１、３６７が互いに係合するまで回転することができる。カップ・ホルダ３１０は、第１の位置から第２の位置へと回転することができ、第１の位置及び第２の位置は約１４４度離間されている。代替的に、第１の位置及び第２の位置は、１３０度〜１５０度の離間の範囲内、又は１２０度〜１６０度の離間の範囲内、又は１１０度〜１７０度の離間の範囲内にあってもよい。別の選択肢として、第１の位置及び第２の位置は、５度〜１５度の離間の範囲内、又は１５度〜３０度の離間の範囲内、又は３０度〜９０度の離間の範囲内で離間されてもよい。回転抑制機構３４１、３６７は、椅子１００の左手側又は右手側のいずれかに取り付けられるときに、カップ・ホルダ３１０の底部が地面に平行になることを可能にする所定の位置において、カラー３４０及びカップ・ホルダ３１０をクランプ部材３６０に固定するように設定することができる。例示的な実施例は、カップ・ホルダ３１０のクランプ部材３６０に対する２つの所定の位置を示しているが、所定の位置の数は、３つ、４つ、又は５つ以上など、任意の数であってもよい。任意選択的に、ユーザは、カップ・ホルダ３１０を、所定の運動範囲内でクランプ部材３６０に対して任意のロケーションへと回転させることができる。代替的に、カップ・ホルダ３１０は、カラー３４０に対して３６０度全体にわたって自由に回転することができる。
【０１１９】
ユーザがカップ・ホルダ３１０及びカラー３４０を適切な位置において位置整合させるのを支援するために、カップ・ホルダ３１０、カラー３４０、及びクランプ部材３６０の各々は、位置整合指標３９６を有することができる。位置整合指標３９４は、カップ・ホルダ３１０の係合部材３１８及びカラー３４０の外面の各々の上に位置決めされる部分を備えることができる。位置整合指標３９４は、クランプ部材３６０上に位置決めされている２つの対応する位置整合指標３９６のうちの１つと位置整合することができる。位置整合指標３９４、３９６が同一線上にあるとき、カラー３４０及びクランプ部材３６０は、カップ・ホルダ・アセンブリ３００が所定の最適な動作位置のうちの１つにあるように、適切に位置整合される。位置整合指標３９４、３９６は、ユーザがカップ・ホルダ・アセンブリ３００の所定の最適な動作位置を容易に識別することを可能にするための、隆起面、窪み、又は他の対照的な機構であってもよい。
【０１２０】
図１６Ｂ、図１８Ａ、及び図１８Ｂに示すように、カラー３４０上の複数の回転抑制機構３４１は、カラー３４０の中心軸を中心として回転可能に離間される複数のボス３４１を含むことができる。複数のボス３４１の各々は、図１６Ｂ及び図１７に示すクランプ部材３６０の対応する回転抑制機構３６７に係合することができる。クランプ部材３６０上の複数の回転抑制機構３６７は、カラー３４０のボス３４１を受け入れるようなサイズの複数のポケットを含むことができる。複数のボス３４１及び複数のポケット３６７の各々は、実質的に矩形の形状を有することができる。ポケット３６７は側壁のみを含むことができ、複数の長さを有するボスを受け入れることを可能にするために、後面を有しないようにすることができる。クランプ部材３６０上のポケット３６７の数は、カラー３４０がクランプ部材３６０に対して複数の向きにおいて回転することを可能にするために、カラー３４０上のボス３４１の数よりも大きくすることができる。例えば、図１６Ｂ、図１７、図１８Ａ、及び図１８Ｂの例示的な実施例に示すように、ボス３４１の数は３であり、一方、ポケットの数は４である。この構成は、カラーがクランプ部材３６０に対して回転され、カップ・ホルダ３１０が作用位置にあるときに少なくとも３つの回転抑制機構がクランプ部材３６０に依然として係合されるようにすることを可能にする。
【０１２１】
加えて、カラー３４０のクランプ部材３６０に対する回転の範囲を決定するために、カラー上の回転抑制機構のうちの少なくとも１つは、許容可能な最大回転を制限することができる。例えば、複数のボス３４１のうちの１つ、ボス３４１Ａは、他のボス３４１よりも長い長さを有することができ、結果、ユーザが、複数のボス３４１を複数のポケット３６７から係合解除するための所定の距離だけクランプ部材３６０からカラー３４０を引くと、ボス３４１Ａのより長い長さが、カラー３４０が許容可能な最大回転を超えて回転するのを防止することができる。カラー３４０は、ボス３４１Ａがクランプ部材３６０上の複数のポケット３６７のうちの少なくとも２つの一部分を形成する２つの側面３６７Ａのうちの１つと衝突するまで回転することができる。表面３６７Ａもまた、他のポケット側面よりも長い長さも係合部材３６８の第２の端部３７２のより近くまで延伸することができる。側面３６７Ａは、ボス３４１Ａがクランプ部材３６０に対するカラー３４０の回転量を制御し、クランプ部材３６０に対するカップ・ホルダ３１０の最適な動作位置を効率的に設定するためのストッパを形成することができる。例示的な実施例において、許容可能な最大回転は、約１４４度であってもよく、ただし、任意の所定の角度であってもよい。
【０１２２】
カップ・ホルダ３１０が新たな位置へと回転されると、ユーザは、カップ・ホルダ・アセンブリ３００のＣ字状部材３６２を第１の前脚１１２Ａ、１１２Ｂから分離して、Ｃ字状部材３６２を第２の前脚１１２Ｂ、１１２Ａに付け直すことができる。Ｃ字状部材３６２は、Ｃ字状部材３６２の前脚１１２Ａ、１１２Ｂに対する保持力を増大させることができる複数の隆起部３８６を有することができる。複数の隆起部３８６は、Ｃ字状部材３６２内で、上側表面３６４と下側表面３６６との間で長手方向に延伸することができる。さらに、複数の隆起部３８６は、Ｃ字状部材３６２内で均等に離間することができる。代替的に、複数の隆起部３８６は、Ｃ字状部材３６２内の開放端付近により多くの隆起部３８６があるように、不均等に離間されてもよい。複数の隆起部３８６は、Ｃ字状部材３６２と一体的に形成することができる。任意選択的に、又は代替的に、複数の隆起部３８６は、それらの保持力を向上させるためのコーティングを有することができる。Ｃ字状部材３６２は、クランプ部材３６０を前脚１１２Ａ、１１２Ｂに係合させるために、Ｃ字状部材の閉鎖端に向かって２５〜４０ニュートン（Ｎ）の力が加えられることを必要とし得る。
【０１２３】
図１５Ａ及び図１５Ｂは、長手方向軸３７６に沿った、クランプ部材３６０の係合部材３６８、カラー３４０、及びカップ・ホルダ３１０の間の接続の断面図を示す。係合部材３１８は、外面３２０と、外面３２０の形状に概ね従う内側空洞３２２とを有することができる。例えば、図８Ａ及び図１８に示すような例示的な実施例は、実質的に円筒形状の外面３２０を有するが、外面は任意の形状を有してもよい。内側空洞３２２内で、複数のフレックス・フィンガ３２４が、内面３２６から内向きに延伸することができる。各フレックス・フィンガ３２４は、テーパ状部材３２８を有することができる。複数のフレックス・フィンガ３２４は、互いから離間することができ、異なるサイズを有することができる。
【０１２４】
図１５〜図１９に示すように、カラー３４０は、カップ・ホルダ３１０のフレックス・フィンガ３２４に係合する、対応する複数のフレックス・フィンガ３４４を有する第１の端部３４２を有することができ、カラー３４０をカップ・ホルダ３１０に固定するためのスナップ式係合がもたらされる。カラー３４０上の複数のフレックス・フィンガ３４４は、長手方向軸に沿って延伸する部分、及び、テーパを有する部分を有することができる。フレックス・フィンガ３４４は、カップ・ホルダ３１０上のフレックス・フィンガ３２４と同様に、互いから離間することができる。カラー３４０はまた、図１６及び図１７に示すように、フレックス・フィンガ３４４の間に位置決めされる複数の位置整合部材３５２も含むことができる。各位置整合部材３５２は、カップ・ホルダ３１０がカラー３４０に対して回転するのを防止し、カップ・ホルダ３１０がカラー３４０に適切に固定されることを保証するために、カップ・ホルダ３１０上のフレックス・フィンガ３２４の端部のうちの少なくとも１つに接触することができる、一対の半径方向に延伸するフランジ３５３を提供することができる。したがって、カップ・ホルダ３１０は、構成要素が誤って組み立てられるのを防止するために、１つの向きにおいてのみカラー３４０に固定することができる。複数のフレックス・フィンガ３２４、３４４は各々、２つのフレックス・フィンガ３２４、３４４を含むことができるが、３つ以上のフレックス・フィンガを含んでもよい。例えば、フレックス・フィンガ３２４、３４４は、それぞれ係合部材３１８の上側部分及びカラー３４０の上側部分内に位置決めされる上側フレックス・フィンガ、並びに、それぞれ係合部材３１８の下側部分及びカラー３４０の下側部分内に位置決めされる下側フレックス・フィンガを含むことができる。フレックス・フィンガ３２４、３４４は、一方のフレックス・フィンガが他方よりも大きくなるように、異なるサイズを有することができる。例えば、例示的な実施例に示すように、下側フレックス・フィンガは、上側フレックス・フィンガよりも、カラー３４０の直径のより大きい部分を回って延伸するため、下側フレックス・フィンガは上側フレックス・フィンガよりも大きい。
【０１２５】
フレックス・フィンガ３４４の剛性を調整することによって、カップ・ホルダ３１０のカラー３４０への接続は、瓶又は他のデバイスをカップ・ホルダ３１０内に挿入し、カップ・ホルダから取り出す通常使用下で、カップ・ホルダ３１０を支持することができるが、カップ・ホルダ３１０上のフレックス・フィンガ３２４及びフレックス・フィンガ３４４は、通常使用中に見られるものを超える大きい力がカップ・ホルダ３１０に加わった場合に、フレックス・フィンガ３２４、３４４を互いから係合解除して、カップ・ホルダ３１０がカラー３４０から外れることを可能にするように調節することができる。例えば、１００ニュートン（Ｎ）を超える力が垂直方向においてカップ・ホルダ３１０に与えられた場合、カップ・ホルダ３１０はカラー３４０から解放されることになり、又は、代替的に、１１５ニュートン（Ｎ）を超えるか、１３０ニュートン（Ｎ）を超えるか、又はさらには１４５ニュートン（Ｎ）を超える力がカップ・ホルダ３１０に与えられた場合、カップ・ホルダ３１０はカラー３４０から解放されることになる。この離脱力は垂直方向に加えられるため、この力は、Ｃ字状部材３６２の周りにモーメントを生成する。しかしながら、離脱力及びモーメントはクランプ・オン力に対して異なる方向に向けられるため、クランプ部材３６０は、椅子１００に固定されたままにすることができる。カップ・ホルダ３１０がカラー３４０から外れることによって、カラー３４０及びクランプ部材３６０は、破損せず、いかなる持続的な損傷も被らないままにすることができる。それゆえ、カップ・ホルダ３１０は、カラー３４０に付け直し、再び使用する準備をすることができる。
【０１２６】
上述したように、カップ・ホルダ・アセンブリ３００の特徴は、カラー３４０及びカップ・ホルダ３１０がクランプ部材３６０に対して回転することができることである。この回転を可能にするために、カラー３４０は、クランプ部材３６０の係合部材３６８の第２の端部３７２に接続する第２の端部３４６においてクランプ部材３６０とスライド可能且つ回転可能に係合することができる。図１５Ｂに示すように、カラー３４０をクランプ部材３６０に対して回転させるために、ユーザは、カラー３４０をクランプ部材３６０から外方に引く力を加えることができる。カラー３４０をクランプ部材３６０から外方に引くことによって、カラー３４０及びクランプ部材３６０の回転抑制機構３４１、３６７のセットが係合解除されて、カラー３４０がカップ・ホルダ３１０とともにクランプ部材３６０に対して回転することが可能になる。回転抑制機構３４１、３６７は、カップ・ホルダ３１０が所定の位置にあるときにカラー３４０とクランプ部材３６０との間の一切の望ましくない又は不慮の回転を防止する。上述したように、１つの実施例において、カップ・ホルダ３１０は、第１の位置から第２の位置へと回転することができ、第１の位置及び第２の位置は約１４４度離間されている。
【０１２７】
カラー３４０は、クランプ部材３６０に持続的に固定することができる。カラー３４０は、カラー３４０の第１の端部３４２の反対に延伸する中央突出部３４５を有することができる。中央突出部３４５は、クランプ部材３６０の開口部３８２内に延伸することができる。カラー３４０はその後、クランプ部材３６０の開口部３８２を通じて、及び、第１の端部３４２から第２の端部３４６を通じてカラー３４０を通って延伸する開口３５０を通じて延伸する固定部材３９０を使用してクランプ部材３６０に固定することができる。開口部３５０、３８２はそれぞれ、カラー３４０の中心及びクランプ部材３６０の係合部材３６８の中心を通じて延伸することができる。加えて、カラー３４０は、固定部材３９０によってクランプ部材３６０に固定される突出部３４５の開口部３５０内に位置決めされるばね３９２によってクランプ部材３６０に固定することができる。ユーザが、ばね力を克服し、固定部材３９０に沿ってクランプ部材３６０から外方にカラー３４０をスライドさせ、回転抑制機構３４１、３６７を係合解除するのに十分に大きい反力を加えるまで、ばね３９２は、接合面３４８がクランプ部材３６０の取り付け面３７８と接触したままにするための力をカラー３４０に加える。回転抑制機構３４１、３６７が係合解除されている間であっても、突出部３４５は、一部を開口部３８２内に延伸したままにすることができる。カラー３４０は、固定部材３９０の長さによって制御することができる所定の距離だけ、スライド可能に動くことができる。係合部材３６８はまた、第２の端部３７２の周縁周りに延伸する棚部３８４も有することができる。固定部材３９０は、リベットのような機械的締結具であってもよく、ここで、リベットは、カラー３４０をクランプ部材３６０に接合させ、又は代替的に、固定部材３９０は、カラー３４０及びクランプ部材３６０を固定するナットによって固定することができるねじであってもよい。
【０１２８】
図２０Ａ及び図２０Ｂは、図８〜図１９の実施例のカラー３４０及びクランプ部材３６０の代替的な実施例を示す。図２０Ａ及び図２０Ｂの実施例について、これらの特徴は、図８〜図１９の実施例に使用されているような「３ｘｘ」ではなく、「４ｘｘ」系列の参照符号の下、同様の参照符号を使用して参照される。したがって、図８〜図１９のカップ・ホルダ３００に関連してすでに上述したカップ・ホルダ４００の特定の特徴は、あまり詳細に説明されない場合があり、又は、まったく説明されない場合がある。具体的には、図２０Ａ及び図２０Ｂは、カラー４４０とクランプ部材４６０との間の代替的な接続を示し、図２０Ａは係合位置にあるカラー４４０を示し、図２０Ｂは、係合解除位置にあるカラー４４０を示す。カラー４４０及びクランプ部材４６０の代替的な実施例は、図１５Ａ及び図１５Ｂに示す実施例と同様であり、カラー３４０は、クランプ部材３６０に持続的に固定することができる。図２０Ａ及び図２０Ｂに示す代替的な実施例は、カラー４４０がクランプ部材３６０へと延伸するカラー３４０の突出部３４５を欠くようにカラー４４０及びクランプ部材４６０が構成される点を除いて、図１５Ａ及び図１５ＢＡに示す実施例の特徴のすべてを有することができる。加えて、クランプ部材４６０はまた、係合部材４６８の第２の端部４７２から内向きに延伸するスリーブ又はばね案内面４８０を有することができる。図２０Ａ及び図２０Ｂに示すように、固定部材４９０は、カラー４４０をクランプ部材４６０に固定することができ、固定部材４９０は、クランプ部材４６０の開口部４８２を通じて、及び、第１の端部４４２から第２の端部４４６を通じてカラー４４０を通って延伸する開口部４５０を通じて延伸する。開口部４５０、４８２はそれぞれ、カラー４４０の中心及びクランプ部材４６０の係合部材４６８の中心を通じて延伸することができる。加えて、カラー４４０は、固定部材４９０によってクランプ部材４６０に固定される開口部４８２内に位置決めされるばね４９２によってクランプ部材４６０に固定することができる。ユーザが、ばね力を克服し、固定部材４９０に沿ってクランプ部材４６０から外方にカラー４４０をスライドさせて、回転抑制機構４４１、４６７を係合解除するのに十分に大きい反力を加えるまで、ばね４９２は、接合面４４８がクランプ部材４６０の取り付け面４７８と接触したままにするための力をカラー４４０に加える。
【０１２９】
図２１は、カラー５４０の代替的な実施例を示す。これは、図８〜図２０Ｂの実施例のカラー３４０の代替的な実施例としてのものである。図２１の実施例について、カラー３４０の特徴は、図８〜図１９の実施例に使用されているような「３ｘｘ」ではなく、「５ｘｘ」系列の参照符号の下、同様の参照符号を使用して参照される。したがって、図８〜図２０Ｂのカラー３４０、４４０に関連してすでに上述したカラー５４０の特定の特徴は、あまり詳細に説明されない場合があり、又は、まったく説明されない場合がある。具体的には、カラー５４０は、カラー３４０及び４４０の説明において示した、その対応するクランプ部材３６０又は４６０に関係するものとしての、いずれかの接合部を有することができる。図２１は、具体的には、通常使用を超える力がカップ・ホルダ３１０に加わった場合に、カップ・ホルダ３１０がカラー５４０から外れることを可能にする場合、フレックス・フィンガ５４４の剛性を支持し、フレックス・フィンガ５４４がカップ・ホルダ３１０のフレックス・フィンガ３２４から係合解除することを可能にするための正しい剛性へと調整するか、又は、剛性を調節するためのガセット５５４をフレックス・フィンガ５４４が有する、カラー５４０の実施例を示す。
【０１３０】
カップ・ホルダ・アセンブリ３００の、カップ・ホルダ３１０、カラー３４０、及びクランプ部材３６０などの主要構成要素の各々は、アルミニウム合金などの金属材料、又は、ポリマーなどの非金属材料から形成することができる。ポリマーは、炭素繊維又はガラス繊維ポリマーなど、繊維強化のものであってもよい。代替的に、ポリマーは無充填であってもよい。例えば、カップ・ホルダ３１０は、ナイロン又はポリアミドタイプの材料から形成されてもよく、一方、クランプ部材３６０及びカラー３４０は、ポリオキシメチレン（ＰＯＭ）又は他の同様の材料から作製されてもよい。さらに、構成要素は、射出成形工程、機械加工、又は積層造形工程から形成されてもよい。
【０１３１】
図２２Ａ〜図３７は、カップ・ホルダ・アセンブリ６００の別の代替的な実施例を示す。カップ・ホルダ・アセンブリ６００は、カップ・ホルダ６１０と、対応する取り付け基部６５０とを備えることができる。取り付け基部６５０は、図２２Ａ及び図２２Ｂに示すように、座部フレーム１３１の対応する前脚取り付け部分１７０Ａ付近で、椅子１００の前脚１１２Ａに取り付けられる。カップ・ホルダ６１０はその後、取り付け基部６５０と係合して、カップ・ホルダ６１０を椅子１００に固定する。図２４〜図２５Ｂに示すように、カップ・ホルダ６１０は、取り付け基部６５０とスライド可能且つ解放可能に係合して、カップ・ホルダ６１０を椅子１００に固定するカップ・ホルダ６１０の実質的に円筒形の側壁６１４から延伸する取り付け部材６３０を有することができる。取り付け部材６３０は、ユーザが、工具を使用することなくカップ・ホルダ６１０を取り付け基部６５０に対して容易に設置及び取り外しすることを可能にすることができる。
【０１３２】
図２３、図２４Ａ、及び図２４Ｂに示すように、カップ・ホルダ６１０は、取り付け基部６５０へとスライドする。取り付け部材６３０は、一対の平行な側壁６３２、６３４を有する反転Ｕ字形状を概ね有することができ、各側壁６３２、６３４は、対向するそれぞれの側壁６３４、６３２に向かって延伸するレール６３６を有する。取り付け部材６３０はまた、カップ・ホルダ６１０の一部分から延伸するスペーサ部分６３１も含むことができる。スペーサ部分６３１は、ユーザがカップ・ホルダ６１０内に固定される容器に容易に手が届くことを可能にするために、カップ・ホルダの円筒形状を椅子１００からの所望の距離に位置決めするための長さを有することができる。取り付け部材６３０はまた、側壁６３２、６３４を接続する上壁６３８も有することができる。上壁６３８は、概ね湾曲した形状を有することができるが、任意の形状であってもよい。取り付け部材６３０は、取り付け基部６５０に係合するための、下側部分にある開口部６４０をさらに有することができる。加えて、取り付け部材６３０の実質的に平行な側壁６３２、６３４は、カップ・ホルダの円筒形状の長手方向軸に対して角度を付けることができる。例えば、例示的な実施例において、平行な側壁６３２、６３４は、長手方向軸から約１８度の角度に向けることができ、又は、平行な側壁６３２、６３４は、１５〜２１度の範囲内の角度に向けることができ、又は、平行な側壁６３２、６３４は、１０〜３０度の範囲内の角度に向けることができる。
【０１３３】
図２４Ａ及び２４Ｂに示すように、カップ・ホルダ６１０を取り付け基部６５０上に設置するために、取り付け基部６５０は取り付け部材６３０の開口部６４０内に挿入される。取り付け基部６５０が挿入されると、レール６３６が取り付け基部６５０の側面内の一対のスロット６５２に沿ってスライドする。スロット６５２は、設置工程中にカップ・ホルダ６１０を案内するように作用することができる。各レール６３６はまた、スロット６５２の各々の中に位置決めされるポケット６５４内へと延伸する戻り止め又は突出部６４２も有することができる。この戻り止め６４２及びポケット６５４の係合は、カップ・ホルダ６１０及び取り付け基部６５０を固定するだけでなく、ユーザにカップ・ホルダ６１０が固定的に取り付けられているという肯定的フィードバックも与えるための係止機構として作用する。ポケット６５４は、概ね、取り付け基部６５０の長さに沿って取り付け基部６５０の中心に配置することができ、この長さは、上部６５６から底部６５８へと規定される。代替的に、ポケット６５４は、スロット６５２の長さに沿って任意の箇所に配置されてもよい。加えて、取り付け基部６５０は、前面６６２及び後面（図示せず）を通じて延伸する一対の取り付け孔６６０を含むことができる。取り付け基部６５０は、取り付け孔６６０の各々を通じて椅子内に位置決めされている受け入れ手段内へと延伸する機械的締結具を使用することによって、前脚１１２Ａ、１１２Ｂのいずれかに取り付けることができ、受け入れ手段は、図２５Ａ及び２５Ｂに示すように、機械的締結具を受け入れるように構成されているナット又は他のデバイスであってもよい。
【０１３４】
カップ・ホルダ６１０は、長手方向軸６０２に沿って、実質的に円筒の形状又は実質的に階層化された円筒形の形状を有することができる。カップ・ホルダ６１０は、上側縁部６１２と、縁部６１２と底面６１６との間に位置決めされる少なくとも１つの実質的に円筒形の壁６１４とを備えることができる。実質的に円筒形の壁６１４は、全高にわたって同じ直径を有する平滑な表面を有することができ、又は、例示的な実施例に示すように、上側階層６１８、中央階層６２０、及び下側階層６２２の３つの階層を備える階層化円筒外形を有することができる。階層６１８、６２０、６２２の各々は、長手方向軸６０２に沿って互いに対して同心とすることができる。上側ステップ６２４又は上側接続壁を、上側階層６１８と中央階層６２０との間に配置することができる。同様に、下側ステップ６２６又は下側接続壁を、中央階層６２０と下側階層６２２との間に配置することができる。接続壁６２４、６２６は、接続壁の大部分を含むことができる、ゆとりのある半径を有することができる。上側階層６１８は、中央階層６２０と下側階層６２２の両方の直径よりも大きい直径を有してもよい。加えて、中央階層６２０は、下側階層６２２の直径よりも大きい直径を有してもよい。階層６１８、６２０、６２２の各々は、異なる高さを有してもよく、又は、各階層は、同じ高さを有してもよい。この多階層構造は、上述し、また図２６Ａ〜図２６Ｃに示したカップ・ホルダ３１０と同様に、カップ・ホルダ６１０が異なるサイズの容器を支持及び固定することを可能にすることができる。別の選択肢として、階層６１８、６２０、６２２の実質的に円筒形の壁の各々は、わずかなテーパを有してもよい。また、例示的な実施例は、３つの階層を示しているが、カップ・ホルダ６１０は、２、４、又はさらには５階層など、任意の数の階層を有してもよい。代替的に、カップ・ホルダ６１０の外部は、上側縁部６１２から底面６１６へと延伸する平滑なテーパ形状を有してもよく、一方、内面は上述したような階層形状を有してもよい。
【０１３５】
加えて、上側階層６１８の上側縁部６１２は、図２７に示すようにカップ・ホルダ６１０が取っ手を有する容器２１を支持及び固定することを可能にするためにカップ・ホルダ６１０の一方の側に沿って延伸する切り欠き６２８を有することができる。切り欠き６２８は、上側縁部６１２の周の約４分の１又は２５パーセントに沿って延伸する長さを有することができる。別の選択肢として、切り欠き６２８の長さは、上側縁部６１２の周の１２パーセント〜３８パーセントの範囲内であってもよく、又は、上側縁部６１２の周の約６パーセント〜５０パーセントの範囲内であってもよい。切り欠きは、取り付け部材の位置から約９０度に位置決めすることができる中心を有することができ、結果、切り欠きの中心は、カップ・ホルダが椅子１００に設置されるときに、カップ・ホルダ６１０の後方に向かって位置決めすることができる。切り欠き６２８は、上側階層６１８の高さの５０パーセントの高さを有することができ、又は、上側階層６１８の高さの２５パーセント〜７５パーセントの範囲内の高さを有することができる。別の選択肢として、切り欠き６２８は、互いに対向する側に位置決めされる上述したような一対の切り欠きなど、複数の切り欠きを含んでもよい。
【０１３６】
図３６に示すように、多階層構造の円筒壁６１４の壁厚は実質的に一定とすることができ、結果、階層構造は、カップ・ホルダ６１０の外部と内部の両方にある。内部ポケット６２９が、取り付け部材６３０のスペーサ部分６３１内に延伸することができる。ポケット６２９は、スペーサ部分６３１の外面から概してオフセットされた形状を有することができる。加えて、開口部６１７が、底面６１６を通じて延伸することができる。
【０１３７】
カップ・ホルダ６１０は、射出成型のような形成工程によって単一片の構成要素として形成することができる。図示されているカップ・ホルダ６１０の実施例は、断熱を一切組み込まれていない単一壁構造を有し得る。加えて、取り付け基部６５０もまた、射出成型、金属射出成型、鋳造、又は、カップ・ホルダ３１０に関連して上述した他の同様の工程若しくは他の方法などのような形成工程によって単一片の構成要素として形成することができる。カップ・ホルダ６１０と取り付け基部６５０は両方とも、ナイロンベースのポリマーなどのポリマー材料から形成することができる。代替的に、取り付け基部は、アルミニウムなどの金属材料から形成されてもよい。
【０１３８】
代替的に、カップ・ホルダ６１０は、真空断熱カップ・ホルダ、エーロゲル・カップ・ホルダであってもよく、又は、１つ若しくは複数の真空断熱パネルを含んでもよく、周辺環境よりも低い若しくは高い温度を維持するように構成することができる。カップ・ホルダ６１０は、挿入された飲料容器を冷却し、及び／又は、挿入された飲料容器の温度が周囲を下回る期間を維持し、延長するように構成することができる。付加的に、又は代替的に、カップ・ホルダは、挿入された飲料容器の冷却を補助し、及び／又は、周囲を下回る期間を延長するために、氷パック及び／又は天然氷インサートを受け入れるように構成することができる。
【０１３９】
上述したように、カップ・ホルダ・アセンブリ６００は、カップ・ホルダ６１０と、取り付け基部６５０とを備えることができる。図３８及び図３９は、代替のカップ・ホルダ・アセンブリ７００を開示している。図３８及び図３９の実施例について、カップ・ホルダ・アセンブリ７００の特徴は、図２２Ａ〜図３７の実施例に使用されているような「６ｘｘ」ではなく、「７ｘｘ」系列の参照符号の下、同様の参照符号を使用して参照される。したがって、図２２Ａ〜図３７のカップ・ホルダ・アセンブリ６００に関連してすでに上述したカップ・ホルダ・アセンブリ７００の特定の特徴は、あまり詳細に説明されない場合があり、又は、まったく説明されない場合がある。具体的には、図３８及び図３９の実施例は、カップ・ホルダ７１０を椅子１００に取り付けるための代替の取り付け部材７３０及び取り付け基部７５０を開示している。ここで、取り付け基部７５０は、椅子１００の脚１１２Ａを取り巻く概して円筒の形状を有することができるカラー７５２を備え、カラー７５２は、取り付け基部７５０を椅子１００の脚１１２Ａに固定するのに必要なクランプ力を与えるためにカラー７５２の後方において機械的締結具によって固定され得る。カラー７５２は、カラー７５２の前方付近のヒンジ７５１、及び、カラー７５２の後方の垂直固定機構７５４を有することができる。カップ・ホルダ７１０の取り付け部材７３０は、取り付け基部７５０と係合してこれを椅子１００に固定する概してＣ字形状のクランプ部材７３２を有することができる。クランプ部材７３２は、カラー７５２の垂直固定機構７３４に対する、対応する垂直固定機構７５４を有することができる。垂直固定機構７３４、７５４の各々は、図３８に示すようにカラー７５２の円筒形状に対して垂直の向きにおいて円筒形状を有することができるが、垂直固定機構７３４、７５４は、ともに係合されるときにクランプ締め部材７３２がカラー７５２へとスライドすることを可能にし、依然としていくらかの垂直方向の支持を与えるための任意の形状を有してもよい。加えて、カラー７５２は、カップ・ホルダ７１０及びその中に受け入れられる容器の重量を支持するために椅子に係合されたときに、同じくカップ・ホルダ７１０に対する垂直方向の支持を与えることができるレッジ７５６を有することができる。
【０１４０】
加えて、図４０及び図４１は、代替のカップ・ホルダ・アセンブリ８００を開示している。図４０及び図４１の実施例について、カップ・ホルダ・アセンブリ８００の特徴は、図２２Ａ〜図３７の実施例に使用されているような「６ｘｘ」ではなく、「８ｘｘ」系列の参照符号の下、同様の参照符号を使用して参照される。したがって、図２２Ａ〜図３７のカップ・ホルダ・アセンブリ６００に関連してすでに上述したカップ・ホルダ・アセンブリ８００の特定の特徴は、あまり詳細に説明されない場合があり、又は、まったく説明されない場合がある。具体的には、図４０及び図４１の実施例は、カップ・ホルダ８１０を椅子１００に取り付けるための代替の取り付け部材８３０及び取り付け基部８５０を開示している。ここで、取り付け基部８５０は、椅子１００の脚１１２Ａの各側でともに接続される前方部分８５３及び後方部分８５４を有するブラケット８５２を備えることができる。ブラケット８５２はその後、ブラケット８５２を脚に固定するためのクランプ力を与えるために複数の機械的締結具を使用して脚１１２Ａに固定することができる。ブラケットは、取り付け部材８３０上に形成されるフック（図示せず）を受け入れるために上部付近に開口部８５６を有することができる。フックは、取り付け部材８３０の上面８３２から下向きに延伸する柱を備えることができる。柱はその後、開口部８５６内に挿入することができる。開口部８５６及び柱の各々は、カップ・ホルダ８１０を取り付け基部８５０に固定するためにダブテール効果を生成するためのテーパ面を有することができる。
【０１４１】
別の選択肢として、図４２、図４３Ａ、図４３Ｂ、図４４Ａ、及び図４４Ｂは、代替のカップ・ホルダ・アセンブリ９００を開示している。図４２、図４３Ａ、図４３Ｂ、図４４Ａ、及び図４４Ｂの実施例について、カップ・ホルダ・アセンブリ９００の特徴は、図２２Ａ〜図３７の実施例に使用されているような「６ｘｘ」ではなく、「９ｘｘ」系列の参照符号の下、同様の参照符号を使用して参照される。したがって、図２２Ａ〜図３７のカップ・ホルダ・アセンブリ６００に関連してすでに上述したカップ・ホルダ・アセンブリ９００の特定の特徴は、あまり詳細に説明されない場合があり、又は、まったく説明されない場合がある。具体的には、図４２、図４３Ａ、図４３Ｂ、図４４Ａ、及び図４４Ｂの実施例は、カップ・ホルダ９１０を椅子１００に取り付けるための代替の取り付け部材９３０及び取り付け基部９５０を開示している。ここで、取り付け基部９５０は、図４４Ａに示すように、溶接又は接着剤に限定されない手段によって、脚１１２Ａに持続的に取り付けることができるブラケット９５２を備えることができる。代替的に、ブラケット９５２は、ブラケット９５２が椅子１００の脚１１２Ａを取り巻くことを可能にするために、一方の側に位置決めされているヒンジ９５４を用いて、脚１１２Ａに解放可能に取り付けることができる。ブラケット９５２はその後、図４４Ｂに示すようにブラケット９５２を脚に固定するためのクランプ力を与えるために複数の機械的締結具を使用して脚１１２Ａに固定することができる。ブラケット９５２は、取り付け部材９３０上に形成されるフック９３２を受け入れるために上部付近に開口部９５６を有することができる。開口部９５６は、ブラケット９５２の上面及び底面を通じて延伸することができる。フック９３２は、取り付け部材９３０の上面から下向きに延伸する柱９３４を備えることができる。図４３Ａは、取り付け部材９３０に取り付けられるＵ字状ブラケットの一部として柱９３４を示し、一方、図４３Ｂは、柱９３４がカップ・ホルダ９１０と一体的に形成される代替の選択肢を示す。柱９３４はその後、開口部９５６内に挿入することができる。例示的な実施例は、柱９３４を矩形プレート要素として示し得るが、柱９３４は、任意の非円形形状を有してもよく、結果、非円形形状は、カップ・ホルダ９１０を椅子の脚１１２Ａに対して回転しないままにするための回転抑制機構を提供する。別の選択肢として、柱９３４は、鍵、スプライン、若しくは平坦面、又は、回転抑制機構として作用することができる同様の特徴などの、突出部を有する円形形状であってもよい。同様に、開口部９５６は、柱９３４に対応する形状を有することができ、結果、柱９３４の非円形形状又は回転抑制機構に係合するための表面をもたらす。
【０１４２】
また別の選択肢として、図４５、図４６、及び図４７は、代替のカップ・ホルダ・アセンブリ１０００を開示している。図４５、図４６及び図４７の実施例について、カップ・ホルダ・アセンブリ１０００の特徴は、図２２Ａ〜図３７の実施例に使用されているような「６ｘｘ」ではなく、「１０ｘｘ」系列の参照符号の下、同様の参照符号を使用して参照される。したがって、図２２Ａ〜図３７のカップ・ホルダ・アセンブリ６００に関連してすでに上述したカップ・ホルダ・アセンブリ１０００の特定の特徴は、あまり詳細に説明されない場合があり、又は、まったく説明されない場合がある。ここで、取り付け基部１０５０は、少なくとも１つの取り付け孔１０５６を有する取り付け面１０５４を有する凹部１０５２又はポケットを備えることができる。取り付け基部１０５０は、孔を通じて延伸する機械的締結具を使用して、椅子１００の脚１１２Ａに取り付けることができる。カップ・ホルダ１０１０は、ポケット１０５２の形状に対応する形状を有する取り付け部材１０３０を有することができる。例えば、図４５、図４６、及び図４７の例示的な実施例において、取り付け部材１０３０及びポケット１０５２は、概して矩形の形状を有することができる。代替的に、取り付け部材１０３０及びポケット１０５２の形状は、矩形形状に限定されず、円形、楕円形、正方形、又は他の形状などの他の幾何学的形状を有してもよい。取り付け部材１０３０は、取り付け部材１０３０の端部１０３６の上面１０３４から上向きに延伸するフック部分１０３２を有することができる。付加的に、取り付け部材１０３０は、取り付け部材１０３０の端部１０３６の底面１０４０から延伸するフレックス・フィンガ１０３８を有することができる。加えて、ポケット１０５２は、ポケット１０５８の前面からオフセットされたポケット１０５２内のアンダーカット面を有することができる。
【０１４３】
取り付け部材１０３０を取り付け基部１０５０に係合させるために、ユーザは、フック１０３２がポケット１０５２の上部にあるアンダーカットに挿入されるように、取り付け部材１０３０に角度を付けることができる。フック１０３２がアンダーカットに係合されると、ユーザはその後、フレックス・フィンガ１０３８がポケット１０５２の下側部分に係合するまで、カップ・ホルダ１０１０を下向きに回転させることができる。カップ・ホルダ１０１０を取り外すために、ユーザは、フレックス・フィンガ１０３８を係合解除してカップ・ホルダ１０１０を取り付け基部１０５０から取り外すために、カップ・ホルダ１０１０の外側を上向きに引くことができる。ここで論じた様々な取り付け基部及び方法は、カップ・ホルダの取り付けに関係しているが、方法はまた、トレー又は釣り竿ホルダなどの他のアクセサリを取り付けるために使用することもできる。
【０１４４】
また別の選択肢として、図４８は、カップ・ホルダ・アセンブリの代替の取り付け基部１１５０を開示している。ここで、取り付け基部１１５０は、取り付け面１１５２を通じて延伸する一対の取り付け孔１１５４を有する前方取り付け面１１５２を備えることができる。ボス又は突出部１１５６が、前方取り付け面１１５２から延伸し、突出部を通じて延伸する開口部１１５８を有することができる。開口部１１５８は、バヨネット形コネクタ（図示せず）を有する取り付け部材によってカップ・ホルダを受け入れることができる。開口部１１５８は、概して矩形の形状を有することができる。
【０１４５】
また別の選択肢として、図４９及び図５０は、カップ・ホルダ・アセンブリの代替の取り付け基部１２５０を開示している。ここで、取り付け基部１２５０は、取り付け面１２５２を通じて延伸する一対の取り付け孔１２５４を有する前方取り付け面１２５２を備えることができる。Ｔ字状ボス又は突出部１２５６が、前方取り付け面１２５２から延伸することができる。Ｔ字状ボス１２５６は、外部上面１２５８、及び、上面１２５８と前方取り付け面１２５２との間のアンダーカット１２６０を有することができる。Ｔ字状ボスは、取り付け基部１２５０の側面１２６２と整列することができ、又は、図４９及び図５０の例示的な実施例に示すように、取り付け基部１２５０の側面１２６２に対して一定の角度において位置決めすることができる。アンダーカット１２６０を有することによって、カップ・ホルダ（図示せず）又は他のアクセサリを、Ｔ字状ボス１２５６に取り付けることができる。
【０１４６】
任意選択的に、上述したようなカップ・ホルダは、カップ・ホルダと椅子１００との間のねじ接続など、複数の機械的接続方法によって椅子１００に取り付けることができる。これらの機械的接続方法は、カップ・ホルダを椅子１００に解放可能に又は持続的に係合させることができる。他の可能な選択肢として、カップ・ホルダは、限定ではないが、玉継手接続、スナップ嵌め接続、面ファスナ型接続、椅子の脚に係合する複数のフレックス・フィンガ、椅子の一部分へのカップ・ホルダの部材の摩擦若しくは圧入嵌め、リベット接続、クイック・リリース・ボールロック・ピンなどの椅子１００に係合するピン若しくは複数のピン、バヨネット型接続、４分の１回転ファスナ又はカム型接続を使用して、様々な方法で椅子に接続することができる。
【０１４７】
別の実例において、座部フレーム１３１の前脚取り付け部分１７０Ａとの交差部に近接する前脚１１２Ａ上で、椅子１００は、アクセサリ取り付けインターフェース（図示せず）を含むことができる。アクセサリ取り付けインターフェースは、前脚１１２Ａ内に作製することができ、ＹＥＴＩ（登録商標）飲料ホルダ、ＹＥＴＩ（登録商標）釣り竿ホルスタ、ＹＥＴＩ（登録商標）Ｍｏｌｌｅ  Ｚｉｎｇｅｒ等を含むＹＥＴＩ（登録商標）Ｔｕｎｄｒａアクセサリを受け入れるように構成することができる。加えて、アクセサリ取り付けインターフェースは、防水貯蔵区画、防虫デバイス、魚群探知器などを受け入れるように構成することができる。
【０１４８】
付加的に、及び／又は代替的に、座部フレーム１３１の前脚取り付け部分１７０Ｂとの交差部に近接する前脚１１２Ｂ上で、椅子１００は、剛直に取り付けられるカップ・ホルダ、分離可能に取り付け可能なカップ・ホルダ・アクセサリ、並びに／又は、上述したようにＹＥＴＩ（登録商標）Ｔｕｎｄｒａアクセサリ及び追加のアクセサリを受け入れるように構成されているアクセサリ取り付けインターフェースを含むことができる。
【０１４９】
本発明は、上記及び添付の図面において、様々な実例を参照して開示されている。しかしながら、本開示によって達せられる目的は、本発明の範囲を限定することではなく、本発明に関連する様々な特徴及び概念の実例を提供することである。本発明の範囲から逸脱することなく、上述した実例に、多数の変更及び適合を行うことができることを、当業者は認識するであろう。
【図１】
2021514691.tif 000003
【図２Ａ】
2021514691.tif 000004
【図２Ｂ】
2021514691.tif 000005
【図２Ｃ】
2021514691.tif 000006
【図３】
2021514691.tif 000007
【図４Ａ】
2021514691.tif 000008
【図４Ｂ】
2021514691.tif 000009
【図４Ｃ】
2021514691.tif 000010
【図４Ｄ】
2021514691.tif 000011
【図５Ａ】
2021514691.tif 000012
【図５Ｂ】
2021514691.tif 000013
【図５Ｃ】
2021514691.tif 000014
【図５Ｄ】
2021514691.tif 000015
【図５Ｅ】
2021514691.tif 000016
【図６Ａ】
2021514691.tif 000017
【図６Ｂ】
2021514691.tif 000018
【図６Ｃ】
2021514691.tif 000019
【図７Ａ】
2021514691.tif 000020
【図７Ｂ】
2021514691.tif 000021
【図８Ａ】
2021514691.tif 000022
【図８Ｂ】
2021514691.tif 000023
【図８Ｃ】
2021514691.tif 000024
【図９Ａ】
2021514691.tif 000025
【図９Ｂ】
2021514691.tif 000026
【図１０Ａ】
2021514691.tif 000027
【図１０Ｂ】
2021514691.tif 000028
【図１１】
2021514691.tif 000029
【図１２】
2021514691.tif 000030
【図１３Ａ】
2021514691.tif 000031
【図１３Ｂ】
2021514691.tif 000032
【図１３Ｃ】
2021514691.tif 000033
【図１４Ａ】
2021514691.tif 000034
【図１４Ｂ】
2021514691.tif 000035
【図１４Ｃ】
2021514691.tif 000036
【図１５Ａ】
2021514691.tif 000037
【図１５Ｂ】
2021514691.tif 000038
【図１６Ａ】
2021514691.tif 000039
【図１６Ｂ】
2021514691.tif 000040
【図１７】
2021514691.tif 000041
【図１８Ａ】
2021514691.tif 000042
【図１８Ｂ】
2021514691.tif 000043
【図１９】
2021514691.tif 000044
【図２０Ａ】
2021514691.tif 000045
【図２０Ｂ】
2021514691.tif 000046
【図２１】
2021514691.tif 000047
【図２２Ａ】
2021514691.tif 000048
【図２２Ｂ】
2021514691.tif 000049
【図２３】
2021514691.tif 000050
【図２４Ａ】
2021514691.tif 000051
【図２４Ｂ】
2021514691.tif 000052
【図２５Ａ】
2021514691.tif 000053
【図２５Ｂ】
2021514691.tif 000054
【図２６Ａ】
2021514691.tif 000055
【図２６Ｂ】
2021514691.tif 000056
【図２６Ｃ】
2021514691.tif 000057
【図２７】
2021514691.tif 000058
【図２８】
2021514691.tif 000059
【図２９】
2021514691.tif 000060
【図３０】
2021514691.tif 000061
【図３１】
2021514691.tif 000062
【図３２】
2021514691.tif 000063
【図３３】
2021514691.tif 000064
【図３４】
2021514691.tif 000065
【図３５】
2021514691.tif 000066
【図３６】
2021514691.tif 000067
【図３７】
2021514691.tif 000068
【図３８】
2021514691.tif 000069
【図３９】
2021514691.tif 000070
【図４０】
2021514691.tif 000071
【図４１】
2021514691.tif 000072
【図４２】
2021514691.tif 000073
【図４３Ａ】
2021514691.tif 000074
【図４３Ｂ】
2021514691.tif 000075
【図４４Ａ】
2021514691.tif 000076
【図４４Ｂ】
2021514691.tif 000077
【図４５】
2021514691.tif 000078
【図４６】
2021514691.tif 000079
【図４７】
2021514691.tif 000080
【図４８】
2021514691.tif 000081
【図４９】
2021514691.tif 000082
【図５０】
2021514691.tif 000083
【国際調査報告】
2021514691.tif 000084
2021514691.tif 000085
2021514691.tif 000086
2021514691.tif 000087